(57)【要約】  無線通信システムのアップリンク通信を改善する方法、装置、コンピュータプログラム製品が提供される。アップリンク伝送無線サブフレームのリファレンスシンボルで一部のデータシンボルが追加的に時間周波数多重化される。多重化されたデータシンボルは多重化されていないデータシンボルと一緒にアップリンク伝送で無線通信ネットワーク内の別の装置に伝送される。無線サブフレームを使ったシンボルの伝送に起因するオーバーヘッドを増大させることもなくデータシンボルをより多く伝送することがこの多重化操作により可能になる。【選択図】図９
2013509819.tif 000002
【特許請求の範囲】
【請求項１】
特定の時間周波数範囲をいずれも占めているデータシンボルおよびリファレンスシンボルで構成されていて無線通信システムに関連付けられている一揃いのシンボルを特定すること、
前記特定したリファレンスシンボルにデータシンボルを多重化して前記特定の時間周波数範囲を占める個々の多重化されたデータおよびリファレンスシンボルにすること、
前記多重化されたデータおよびリファレンスシンボルをアップリンク通信で伝送することから成る方法。
【請求項２】
前記一揃いのシンボルは、いずれも直交周波数分割多重化（ＯＦＤＭ）または単一搬送波周波数分割多重化（ＳＣ−ＦＤＭ）のどちらかが施されていて無線通信システムの無線サブフレームに関連付けられているシンボルであり、
前記無線サブフレームが第一スロットおよび第二スロットを有していて、
前記第一スロットおよび前記第二スロットは、どちらも１個のリファレンスシンボルと複数個のデータシンボルとを収容している請求項１の方法。
【請求項３】
前記第一スロットおよび前記第二スロットに関連付けられている前記リファレンスシンボルに多重化されている前記データシンボルに第一カバーコードを加えること、ならびに、
前記第一スロットおよび前記第二スロットに関連付けられている前記リファレンスシンボルに第二カバーコードを加えることが前記多重化に含まれていて、
前記第一および前記第二の両カバーコードが互いに直交している請求項２の方法。
【請求項４】
前記第一カバーコードが［＋１，＋１］であり、前記第二カバーコードが［＋１，−１］である請求項３の方法。
【請求項５】
前記第一スロットの前記リファレンスシンボルを表す第一シーケンスを前記データシンボルに乗算し、このようにして得られた積を前記第一シーケンスに加算すること、ならびに、
前記第二スロットの前記リファレンスシンボルを表す第二シーケンスを前記データシンボルに乗算し、このようにして得られた積を前記第二シーケンスから減算することが前記多重化に含まれている請求項２の方法。
【請求項６】
前記第一および前記第二のシーケンスは、巡回シフトが異なっていてもシーケンスグループが同じでベースシーケンスが異なっている請求項５の方法。
【請求項７】
前記第一および前記第二のシーケンスは、巡回シフト、シーケンスグループ、ベースシーケンスがいずれも異なっている請求項５の方法。
【請求項８】
前記第一スロットの前記リファレンスシンボルを表す第一シーケンスに前記データシンボルを加算すること、ならびに、
前記第二スロットの前記リファレンスシンボルを表す第二シーケンスおよび前記第一シーケンスの複素共役をデータシンボルに乗算して得られる積を前記第二シーケンスから減算することが前記多重化することに含まれている請求項２の方法。
【請求項９】
前記第一および前記第二のシーケンスは、巡回シフトが異なっていてもシーケンスグループが同じでベースシーケンスが異なっている請求項８の方法。
【請求項１０】
前記第一および前記第二のシーケンスは、巡回シフト、シーケンスグループ、ベースシーケンスがいずれも異なっている請求項５の方法。
【請求項１１】
受信した指示にしたがってレイヤ３またはレイヤ２のシグナリングの一部として前記多重化が実行される請求項１の方法。
【請求項１２】
データとリファレンスシンボルとの結合を無線通信システム内の機器に行わせるための制御情報を生成して、前記制御情報を前記機器に伝送する方法であって、
特定の時間周波数範囲をいずれも占めているデータシンボルおよびリファレンスシンボルで構成されていて前記無線通信システムに関連付けられている一揃いのシンボルを特定すること、ならびに
前記特定したリファレンスシンボルにデータシンボルを多重化して前記特定の時間周波数範囲を占めている個々の多重化されたデータおよびリファレンスシンボルにすることが前記データとリファレンスシンボルとの結合に含まれている方法。
【請求項１３】
特定の時間周波数範囲をいずれも占めているデータシンボルおよびリファレンスシンボルで構成されていて無線通信システムに関連付けられている一揃いのシンボルを特定する手段と、
前記特定したリファレンスシンボルにデータシンボルを多重化して前記特定の時間周波数範囲を占めている個々の多重化されたデータおよびリファレンスシンボルにする手段と、
前記多重化されたデータおよびリファレンスシンボルをアップリンク通信で伝送する手段と
を有している装置。
【請求項１４】
特定の時間周波数範囲をいずれも占めているデータシンボルおよびリファレンスシンボルで構成されていて無線通信システムに関連付けられている一揃いのシンボルを特定すること、ならびに
前記特定したリファレンスシンボルにデータシンボルを多重化して前記特定の時間周波数範囲を占めている個々の多重化されたデータおよびリファレンスシンボルにすること
から成るデータとリファレンスシンボルとの結合を無線通信システム内の機器に行わせるための制御情報を生成する手段と、
前記制御情報を前記機器に伝送する手段とを具備している装置。
【請求項１５】
プロセッサと、プロセッサが実行することのできるコードを格納しているメモリととを備えていて、
前記プロセッサが実行することのできるコードを前記プロセッサが実行すると、
特定の時間周波数範囲をいずれも占めているデータシンボルとリファレンスシンボルとで構成されていて無線通信システムに関連付けられている一揃いのシンボルを特定することと、
前記特定したリファレンスシンボルにデータシンボルを多重化して前記特定の時間周波数範囲を占めている個々の多重化されたデータおよびリファレンスシンボルにすることと、
前記多重化されたデータおよびリファレンスシンボルをアップリンク通信で伝送することとを実行するように設定される装置。
【請求項１６】
前記一揃いのシンボルは、いずれも直交周波数分割多重化（ＯＦＤＭ）または単一搬送波周波数分割多重化（ＳＣ−ＦＤＭ）のどちらかが施されていて前記無線通信システムの無線サブフレームに関連付けられているシンボルであり、
前記無線サブフレームが第一スロットおよび第二スロットを有していて、
前記第一スロットおよび前記第二スロットは、どちらも１個のリファレンスシンボルと複数個のデータシンボルとを収容している請求項１５の方法。
【請求項１７】
前記プロセッサが実行することのできるコードを前記プロセッサが実行すると、前記特定したリファレンスシンボルと前記データシンボルとを多重化するように前記装置を設定することの一部として
前記第一スロットおよび前記第二スロットに関連付けられている前記リファレンスシンボルに多重化されている前記データシンボルに第一カバーコードを加えること、ならびに、
前記第一スロットおよび前記第二スロットに関連付けられている前記リファレンスシンボルに第二カバーコードを加えることを実行するように前記装置を設定することが含まれていて、
前記第一および前記第二の両カバーコードが互いに直交している請求項１６の方法。
【請求項１８】
前記第一カバーコードが［＋１，＋１］であり、前記第二カバーコードが［＋１，−１］である請求項１７の方法。
【請求項１９】
前記プロセッサが実行することのできるコードを前記プロセッサが実行すると、前記特定したリファレンスシンボルと前記データシンボルとを多重化するように前記装置を設定することの一部として
前記第一スロットの前記リファレンスシンボルを表す第一シーケンスを前記データシンボルに乗算し、このようにして得られた積を前記第一シーケンスに加算すること、ならびに、
前記第二スロットの前記リファレンスシンボルを表す第二シーケンスを前記データシンボルに乗算し、このようにして得られた積を前記第二シーケンスから減算することを実行するように前記装置を設定することが含まれている請求項１６の方法。
【請求項２０】
前記第一および前記第二のシーケンスは、巡回シフトが異なっていてもシーケンスグループが同じでベースシーケンスが異なっている請求項１９の方法。
【請求項２１】
前記第一および前記第二のシーケンスは、巡回シフト、シーケンスグループ、ベースシーケンスがいずれも異なっている請求項１９の方法。
【請求項２２】
前記プロセッサが実行することのできるコードを前記前記プロセッサが実行すると、前記特定したリファレンスシンボルと前記データシンボルとを多重化するように前記装置を設定することの一部として
前記第一スロットの前記リファレンスシンボルを表す第一シーケンスに前記データシンボルを加算すること、ならびに、
前記第二スロットの前記リファレンスシンボルを表す第二シーケンスおよび前記第一シーケンスの複素共役を前記データシンボルに乗算して得られる積を前記第二シーケンスから減算することを実行するように前記装置を設定することが含まれている請求項１６の方法。
【請求項２３】
前記第一および前記第二のシーケンスは、巡回シフトが異なっていてもシーケンスグループが同じでベースシーケンスが異なっている請求項２２の方法。
【請求項２４】
前記第一および前記第二のシーケンスは、巡回シフト、シーケンスグループ、ベースシーケンスがいずれも異なっている請求項２２の方法。
【請求項２５】
前記プロセッサが実行することのできるコードを前記プロセッサが実行すると、レイヤ３またはレイヤ２のシグナリングの一部として受信した指示にしたがって前記データシンボルと前記特定したリファレンスシンボルとを多重化するように前記装置を設定する請求項１５の装置。
【請求項２６】
プロセッサと、プロセッサが実行することのできるコードを格納しているメモリとを備えていて、
前記プロセッサが実行することのできるコードを前記プロセッサが実行すると、
特定の時間周波数範囲をいずれも占めているデータシンボルとリファレンスシンボルとで構成されていて無線通信システムに関連付けられている一揃いのシンボルを特定することと、
前記特定したリファレンスシンボルにデータシンボルを多重化して前記特定の時間周波数範囲を占めている個々の多重化されたデータおよびリファレンスシンボルにすることと
が含まれているデータとリファレンスシンボルとの結合処理を前記無線通信システム内の機器に行わせる制御情報を生成して、前記制御情報を前記機器に送信するように設定される装置。
【請求項２７】
特定の時間周波数範囲をいずれも占めているデータシンボルとリファレンスシンボルとで構成されていて無線通信システムに関連付けられている一揃いのシンボルを特定するためのコンピュータコードと、
前記特定したリファレンスシンボルにデータシンボルを多重化して前記特定の時間周波数範囲を占めている個々の多重化されたデータおよびリファレンスシンボルにするコンピュータコードと、
前記多重化されたデータおよびリファレンスシンボルをアップリンク通信で伝送するコンピュータコードと
を収録していて一時的ではないコンピュータ可読媒体に具現化されているコンピュータプログラム製品。
【請求項２８】
特定の時間周波数範囲をいずれも占めているデータシンボルとリファレンスシンボルとで構成されていて無線通信システムに関連付けられている一揃いのシンボルを特定することと、
前記特定したリファレンスシンボルにデータシンボルを多重化して特定の時間周波数範囲を占めている個々の多重化されたデータおよびリファレンスシンボルにすることと
が含まれているデータとリファレンスシンボルとの結合処理を無線通信システム内の機器に行わせる制御情報を生成するためのコンピュータコードと、
前記制御情報を前記機器に伝送するためのコンピュータコードと
を収録していて一時的ではないコンピュータ可読媒体に具現化されているコンピュータプログラム製品。
【請求項２９】
無線通信システムに関連付けられている多重化されていないデータやリファレンスシンボルと同じ時間周波数範囲を各々が占めている多重化されたデータおよびリファレンスシンボルを無線通信システム内のユーザ機器から受信することと、
前記受信した多重化されているデータおよびリファレンスシンボルからデータシンボルを多重分離することと、
前記多重分離されたデータシンボルの推定を生成することと
から成る方法。
【請求項３０】
個々の多重化されたデータおよびリファレンスシンボルは、無線通信システムの無線サブフレームに関連付けられていて直交周波数分割多重化（ＯＦＤＭ）または単一搬送波周波数分割多重化（ＳＣ−ＦＤＭ）が施されているシンボルであり、
前記無線サブフレームが第一スロットおよび第二スロットを有していて、
第一の多重化されているデータおよびリファレンスシンボルが前記第一スロットに関連付けられていて、第二の多重化されているデータおよびリファレンスシンボルが前記第二スロットに関連付けられている請求項２９の方法。
【請求項３１】
前記受信した第一および第二の多重化されているデータおよびリファレンスシンボルは、
前記第一スロットおよび前記第二スロットに関連付けられている前記リファレンスシンボルに多重化されている前記データシンボルに加えられる第一カバーコードと、
前記第一スロットおよび前記第二スロットに関連付けられている前記リファレンスシンボルに加えられる第二カバーコードとを有していて、
前記第一および前記第二のカバーコードが互いに直交している請求項３０の方法。
【請求項３２】
前記多重分離には、
前記第一スロットに関連付けられている前記リファレンスシンボルを表す第一シーケンスの複素共役を前記第一の多重化されているデータおよびリファレンスシンボルに乗算して第一の積を求めること、
前記第二スロットに関連付けられている前記リファレンスシンボルを表す第二シーケンスの複素共役を前記第二の多重化されているデータおよびリファレンスシンボルに乗算して第二の積を求めること、
前記第一の積から前記第二の積を減算することが含まれている請求項３０の方法。
【請求項３３】
前記第一および前記第二のシーケンスは、巡回シフトが異なっていてもシーケンスグループが同じでベースシーケンスが異なっている請求項３２の方法。
【請求項３４】
前記第一および前記第二のシーケンスは、巡回シフト、シーケンスグループ、ベースシーケンスがいずれも異なっている請求項３２の方法。
【請求項３５】
前記第一スロットに関連付けられている前記リファレンスシンボルを表す第一シーケンスおよび前記第二スロットに関連付けられている前記リファレンスシンボルを表す第二シーケンスの複素共役を前記第二の多重化されたデータおよびリファレンスシンボルに乗算すること、および
前記第一の多重化されているデータおよびリファレンスシンボルから乗算により得られた積を減算すること
が前記多重分離に含まれている請求項２９の方法。
【請求項３６】
前記第一および前記第二のシーケンスは、巡回シフトが異なっていてもシーケンスグループが同じでベースシーケンスが異なっている請求項３５の方法。
【請求項３７】
前記第一および前記第二のシーケンスは、巡回シフト、シーケンスグループ、ベースシーケンスがいずれも異なっている請求項３２の方法。
【請求項３８】
無線通信システムに関連付けられている多重化されていないデータまたはリファレンスシンボルと同じ時間周波数範囲を各々が占めている多重化されたデータおよびリファレンスシンボルを前記無線通信システム内のユーザ機器から受信する手段と、
前記受信した多重化されているデータおよびリファレンスシンボルからデータシンボルを多重分離する手段と、
前記多重分離されたデータシンボルの推定を生成する手段と
を有している装置。
【請求項３９】
プロセッサと、プロセッサが実行することのできるコードを格納しているメモリとを備えていて、
前記プロセッサが実行することのできるコードを前記プロセッサが実行すると、
無線通信システムに関連付けられている多重化されていないデータまたはリファレンスシンボルと同じ時間周波数範囲を各々が占めている多重化されたデータおよびリファレンスシンボルを前記無線通信システム内のユーザ機器から受信することと、
前記受信した多重化されているデータおよびリファレンスシンボルからデータシンボルを多重分離することと、
前記多重分離されたデータシンボルの推定を生成することと
を行うように設定される装置。
【請求項４０】
個々の多重化されたデータおよびリファレンスシンボルは、無線通信システムの無線サブフレームに関連付けられていて直交周波数分割多重化（ＯＦＤＭ）または単一搬送波周波数分割多重化（ＳＣ−ＦＤＭ）が施されているシンボルであり、
前記無線サブフレームが第一スロットおよび第二スロットを有していて、
第一の多重化されているデータおよびリファレンスシンボルが前記第一スロットに関連付けられていて、第二の多重化されているデータおよびリファレンスシンボルが前記第二スロットに関連付けられている請求項３９の方法。
【請求項４１】
前記受信した第一および第二の多重化されているデータおよびリファレンスシンボルは、
前記第一スロットおよび前記第二スロットに関連付けられている前記リファレンスシンボルに多重化されている前記データシンボルに加えられる第一カバーコードと、
前記第一スロットおよび前記第二スロットに関連付けられている前記リファレンスシンボルに加えられる第二カバーコードとを有していて、
前記第一および前記第二のカバーコードが互いに直交している請求項４０の方法。
【請求項４２】
前記プロセッサが実行することのできるコードが前記プロセッサにより実行されると、前記データシンボルの多重分離を行うように装置を設定することの一部として、
前記第一スロットに関連付けられている前記リファレンスシンボルを表す第一シーケンスの複素共役を前記第一の多重化されているデータおよびリファレンスシンボルに乗算して第一の積を求めることと、
前記第二スロットに関連付けられている前記リファレンスシンボルを表す第二シーケンスの複素共役を前記第二の多重化されているデータおよびリファレンスシンボルに乗算して第二の積を求めることと、
前記第一の積から前記第二の積を減算することと
を行うように前記装置を設定する請求項４０の方法。
【請求項４３】
前記第一および前記第二のシーケンスは、巡回シフトが異なっていてもシーケンスグループが同じでベースシーケンスが異なっている請求項４２の方法。
【請求項４４】
前記第一および前記第二のシーケンスは、巡回シフト、シーケンスグループ、ベースシーケンスがいずれも異なっている請求項４２の方法。
【請求項４５】
前記プロセッサが実行することのできるコードが前記プロセッサにより実行されると、前記データシンボルの多重分離を行うように前記装置を設定することの一部として、
前記第一スロットに関連付けられている前記リファレンスシンボルを表す第一シーケンスおよび前記第二スロットに関連付けられている前記リファレンスシンボルを表す第二シーケンスの複素共役を前記第二の多重化されているデータおよびリファレンスシンボルに乗算することと、
前記第一の多重化されているデータおよびリファレンスシンボルからこの乗算により得られた積を減算することと
を行うように前記装置を設定することが含まれている請求項２９の方法。
【請求項４６】
前記第一および前記第二のシーケンスは、巡回シフトが異なっていてもシーケンスグループが同じでベースシーケンスが異なっている請求項４５の方法。
【請求項４７】
前記第一および前記第二のシーケンスは、巡回シフト、シーケンスグループ、ベースシーケンスがいずれも異なっている請求項４５の方法。
【請求項４８】
無線通信システムに関連付けられている多重化されていないデータまたはリファレンスシンボルと同じ時間周波数範囲を各々が占めている多重化されたデータおよびリファレンスシンボルを前記無線通信システム内のユーザ機器から受信するためのプログラムコードと、
前記受信した多重化されているデータおよびリファレンスシンボルからデータシンボルを多重分離するためのプログラムコードと、
前記多重分離されたデータシンボルの推定を生成するためのプログラムコードと
を収録していて一時的ではないコンピュータ可読媒体に具現化されているコンピュータプログラム製品。
【発明の詳細な説明】
【技術分野】
【０００１】
この出願は、２００９年１０月２８日に出願がなされている「無線通信システムにおいてデータとリファレンス情報とを多重化するための方法および装置（METHOD AND APPARATUS FOR MULTIPLEXING DATA AND REFERENCE INFORMATION IN A WIRELESS COMMUNICATION SYSTEM）」と言う名称の米国仮特許出願通し番号６１／２５５，７９８の利益を主張する。この米国仮特許出願は、この言及により全体的にここに明確に含まれる。
【０００２】
この発明は、無線通信の分野に概ね関係しているが、アップリンク通信のシグナリング能力の改善に特に関係している。
【背景技術】
【０００３】
この節は、これから開示する実施態様の背景や状況を提示することを意図している。この節には、これからも追求し続けることのできる着想が含まれているが、以前から構想されていたり追求されていたりしている着想であるとは限らない。したがって、特に断りのない限り、この節に記載されている事柄は本願の発明の詳細な説明や特許請求の範囲に対する先行技術でもなければ、この節に記載されているからと言って先行技術であることを認めている訳でもない。
【０００４】
無線通信システムは、音声やデータなどのような様々な種類の通信内容を供給するために広く展開されている。無線通信システムは、利用可能なシステムリソース（例えば、帯域幅や伝送電力）を共有することにより複数のユーザの通信をサポートする多元接続システム（multiple-access systems）であるかも知れない。そのような多元接続システムには、符号分割多元接続（ＣＤＭＡ：code division multiple access）システム、時分割多元接続（ＴＤＭＡ：time division multiple access）システム、周波数分割多元接続（ＦＤＭＡ：frequency division multiple access）システム、３ＧＰＰ長期的高度化（ＬＴＥ：Long Term Evolution）システム、直交周波数分割多元接続（ＯＦＤＭＡ：orthogonal frequency division multiple access）システムが例として含まれる。
【０００５】
一般に、無線多元接続通信システムは複数台の無線端末の通信を同時にサポートすることができる。個々の端末であるユーザ機器（ＵＥ：user equipment）は、順方向や逆方向の両リンクでの伝送により一台以上の基地局と通信をする。順方向リンク（またはダウンリンク）は基地局から端末に向かう通信リンクを言い、逆方向リンク（またはアップリンク）は端末から基地局に向かう通信リンクを言う。この通信リンクは、シングルインシングルアウト（single-in-single-out）、マルチインシングルアウト（multiple-in-signal-out）、マルチインマルチアウト（ＭＩＭＯ：multiple-in-multiple-out）のいずれかのシステムにより確立することができる。
【０００６】
ＬＴＥシステムでは、データの復調（ＤＭ：data demodulation）に用いられるリファレンスシグナル（ＲＳ：Reference Signals）がアップリンクの伝送に含まれている。ＤＭ  ＲＳのアップリンクでの伝送に関連付けられているシンボルは個々のＬＴＥスロット内のデータシンボルで時間多重化される。ＤＭ  ＲＳの伝送は、チャネルの推定やアップリンク情報の復調に必要であるが「オーバーヘッド」を引き起こすので実際のデータシンボルを搬送するためのシステム容量を減少させてしまう。
【発明の概要】
【０００７】
この節は、典型的な実施態様の要約を提供することを意図しているのであって、本願に開示されている実施態様の範囲を限定することを意図しているのではない。
【０００８】
以下に開示するどの実施態様も無線通信システムのデータシンボル伝送能力を増大させるシステム、方法、装置、コンピュータプログラム製品に関連している。そのようなデータ容量の増大は、アップリンク通信チャネルのリファレンスシンボルで多重化したデータシンボルの追加的な伝送を可能にすることにより達成される。これから開示する実施態様の一側面は、無線通信システムに関連付けられている一揃いのシンボルを特定することが含まれている方法に関連している。これらのシンボルにはデータシンボルとリファレンスシンボルとが含まれていて、各シンボルは特定の時間周波数範囲（time-frequency extent）を占めている（spans）。この方法には、特定したリファレンスシンボルにデータシンボルを多重化することも含まれている。ここで、個々の多重化されたデータおよびリファレンスシンボルも特定の時間周波数範囲を占めている。この方法には、多重化されたデータおよびリファレンスシンボルをアップリンク通信で伝送することがさらに含まれている。
【０００９】
ある実施態様では一揃いのシンボルは、直交周波数分割多重化（ＯＦＤＭ：orthogonal frequency division multiplexing）または単一搬送波周波数分割多重化（ＳＣ−ＦＤＭ：single-carrier frequency division multiplexing）のどちらかが施されていて無線通信システムの無線サブフレームに関連付けられているシンボルである。この実施態様では、無線サブフレームは第一スロットおよび第二スロットを有している。第一スロットおよび第二スロットはどちらも１個のリファレンスシンボルと複数個のデータシンボルとを収容している。別の実施態様では上に述べた方法で実行される多重化には、第一スロットおよび第二スロットに関連付けられているリファレンスシンボルに多重化されているデータシンボルに第一カバーコードを加えること、ならびに、第一スロットおよび第二スロットに関連付けられているリファレンスシンボルに第二カバーコードを加えることが含まれている。この実施態様では、第一および第二の両カバーコードは互いに直交している。一例では、第一カバーコードが［＋１，＋１］であり、第二カバーコードが［＋１，−１］である。
【００１０】
別の実施態様では、特定されたリファレンスシンボルにデータシンボルを多重化することには、第一スロットのリファレンスシンボルを表す第一シーケンスをデータシンボルに乗算し、このようにして得られた積を第一シーケンスに加算することが含まれている。この実施態様では多重化には、第二スロットのリファレンスシンボルを表す第二シーケンスをデータシンボルに乗算し、このようにして得られた積を第二シーケンスから減算することが含まれている。ある例では、第一および第二のシーケンスは巡回シフト（cyclic shifts）が異なっていてもシーケンスグループが同じであり、ベースシーケンスが異なっている。別の実施態様では、第一および第二のシーケンスは、巡回シフト、シーケンスグループ、ベースシーケンスがいずれも異なっている。
【００１１】
ある実施態様では、特定されたリファレンスシンボルにデータシンボルを多重化することには第一スロットのリファレンスシンボルを表す第一シーケンスにデータシンボルを加算することが含まれている。この実施態様では多重化には、第二スロットのリファレンスシンボルを表す第二シーケンスをデータシンボルに乗算すること、および、このようにして得られた積に第一シーケンスの複素共役をさらに乗算することが含まれている。この実施態様には、第二シーケンスから前記の積を減算することがさらに含まれている。先に記載した概要と同じように第一および第二のシーケンスは、巡回シフトが異なっていてもシーケンスグループが同じでベースシーケンスが異なっている場合もあれば、巡回シフト、シーケンスグループ、ベースシーケンスがいずれも異なっている場合もある。
【００１２】
別の実施態様では、特定されたリファレンスシンボルにデータシンボルを多重化することが、受信した指示にしたがってレイヤ３またはレイヤ２のシグナリングの一部として実行される。
【００１３】
以上に示した実施態様の別の側面は、データとリファレンスシンボルとの結合を無線通信システム内の機器に行わせるための制御情報を生成することが含まれている方法に関連している。データとリファレンスシンボルとの結合には無線通信システムに関連付けられている一揃いのシンボルを特定することが含まれている。ここで、シンボルにはデータシンボルおよびリファレンスシンボルが含まれていて、各シンボルは特定の時間周波数範囲を占めている。データとリファレンスシンボルとの結合には特定したリファレンスシンボルにデータシンボルを多重化することも含まれている。ここで、個々の多重化されたデータおよびリファレンスシンボルも特定の時間周波数範囲を占めている。上に述べた制御情報の生成の他にこの方法には制御情報を前記の装置に伝送することも含まれている。
【００１４】
以上に示した実施態様の別の側面は、無線通信システムに関連付けられている一揃いのシンボルを特定する手段を有している装置に関連している。ここでシンボルには、データシンボルとリファレンスシンボルとが含まれていて、個々のシンボルは特定の時間周波数範囲を占めている。この装置は、特定したリファレンスシンボルにデータシンボルを多重化する手段をさらに有している。ここで、個々の多重化されたデータおよびリファレンスシンボルは特定の時間周波数範囲を占めている。この装置は、多重化されたデータおよびリファレンスシンボルをアップリンク通信で伝送する手段も有している。
【００１５】
以上に示した実施態様の別の側面は、データとリファレンスシンボルとの結合を無線通信システム内の機器に行わせるための制御情報を生成する手段を有している装置に関連している。データとリファレンスシンボルとの結合には無線通信システムに関連付けられている一揃いのシンボルを特定することが含まれている。ここでシンボルには、データシンボルとリファレンスシンボルとが含まれていて、どのシンボルも特定の時間周波数範囲を占めている。データとリファレンスシンボルとの結合には、特定されたリファレンスシンボルにデータシンボルを多重化することがさらに含まれている。ここで、個々の多重化されたデータおよびリファレンスシンボルも特定の時間周波数範囲を占めている。上に述べた装置は制御情報を前記の機器に伝送する手段をさらに有している。
【００１６】
以上に示した実施態様の別の側面は、プロセッサが実行することのできるコードを格納しているメモリとプロセッサとを備えている装置に関連している。プロセッサが実行することのできるコードは、プロセッサにより実行されると、無線通信システムに関連付けられている一揃いのシンボルを特定するように装置を設定する。ここでシンボルには、データシンボルとリファレンスシンボルとが含まれていて、どのシンボルも特定の時間周波数範囲を占めている。プロセッサが実行することのできるコードは、プロセッサにより実行されると、特定したリファレンスシンボルにデータシンボルを多重化するように装置を設定する。ここで、どの多重化されたデータおよびリファレンスシンボルも特定の時間周波数範囲を占めている。プロセッサが実行することのできるコードは、プロセッサにより実行されると、多重化されたデータおよびリファレンスシンボルをアップリンク通信で伝送するように装置を設定する。
【００１７】
以上に示した実施態様のさらに別の側面は、プロセッサが実行することのできるコードを格納しているメモリとプロセッサとを備えている装置に関連している。プロセッサが実行することのできるコードは、当該プロセッサにより実行されると、データとリファレンスシンボルとを結合することを無線通信システム内の機器に行わせる制御情報を生成するように装置を設定する。データとリファレンスシンボルとを結合することには無線通信システムに関連付けられている一揃いのシンボルを特定することが含まれている。ここでシンボルには、データシンボルとリファレンスシンボルとが含まれていて、どのシンボルも特定の時間周波数範囲を占めている。データとリファレンスシンボルとを結合することには特定したリファレンスシンボルにデータシンボルを多重化することも含まれている。個々の多重化されたデータとリファレンスシンボルも特定の時間周波数範囲を占めている。プロセッサが実行することのできるコードは、当該プロセッサにより実行されると、前記の機器に制御情報を送信するように装置をさらに設定する。
【００１８】
以上に示した実施態様の別の側面では一時的ではないコンピュータ可読媒体に具現化されているコンピュータプログラム製品が提供される。コンピュータプログラム製品には、無線通信システムに関連付けられている一揃いのシンボルを特定するためのコンピュータコードが含まれている。ここで、シンボルにはデータシンボルとリファレンスシンボルとが含まれていて、どのシンボルも特定の時間周波数範囲を占めている。コンピュータプログラム製品には特定したリファレンスシンボルにデータシンボルを多重化するコンピュータコードも含まれている。ここで、個々の多重化されたデータおよびリファレンスシンボルは特定の時間周波数範囲を占めている。コンピュータプログラム製品には多重化されたデータおよびリファレンスシンボルをアップリンク通信で伝送するコンピュータコードも付加的に含まれている。
【００１９】
以上に示した実施態様の別の側面は一時的ではないコンピュータ可読媒体に具現化されているコンピュータプログラム製品に関連している。コンピュータプログラム製品には、無線通信システム内の機器にデータとリファレンスシンボルとを結合させる制御情報を生成するコンピュータコードが含まれている。データとリファレンスシンボルとを結合することには無線通信システムに関連付けられている一揃いのシンボルを特定することが含まれている。ここでシンボルにはデータシンボルとリファレンスシンボルが含まれていて、どのシンボルも特定の時間周波数範囲を占めている。データとリファレンスシンボルとを結合することには特定したリファレンスシンボルにデータシンボルを多重化することも含まれている。ここで、個々の多重化されたデータおよびリファレンスシンボルは特定の時間周波数範囲を占めている。コンピュータプログラム製品には制御情報を機器に伝送するためのコンピュータコードも含まれている。
【００２０】
以上に示した実施態様の別の側面は、多重化されたデータおよびリファレンスシンボルを無線通信システム内のユーザ機器から受信することから成る方法に関連している。ここで、個々の多重化されたデータおよびリファレンスシンボルは、無線通信システムに関連付けられている多重化されていないデータやリファレンスシンボルと同じ時間周波数範囲を占めている。上に述べた方法には、受信した多重化されているデータおよびリファレンスシンボルからデータシンボルを多重分離することや多重分離されたデータシンボルの推定を生成することがさらに含まれている。
【００２１】
ある実施態様では個々の多重化されたデータおよびリファレンスシンボルは、無線通信システムの無線サブフレームに関連付けられていて直交周波数分割多重化（ＯＦＤＭ）または単一搬送波周波数分割多重化（ＳＣ−ＦＤＭ）が施されているシンボルである。この実施態様では、無線サブフレームは第一スロットおよび第二スロットを有している。さらに、第一の多重化されているデータおよびリファレンスシンボルは第一スロットに関連付けられていて、第二の多重化されているデータおよびリファレンスシンボルは第二スロットに関連付けられている。ある変形例では、受信した第一および第二の多重化されているデータおよびリファレンスシンボルは、第一スロットおよび第二スロットに関連付けられているリファレンスシンボルに多重化されているデータシンボルに適用される第一カバーコードを含んでいる。この変形例では、受信した第一および第二の多重化されているデータおよびリファレンスシンボルは、第一スロットおよび第二スロットに関連付けられているリファレンスシンボルに適用される第二カバーコードをも有している。さらに、第一および第二のカバーコードは互いに直交している。
【００２２】
別の実施態様では、データおよびリファレンスシンボルの多重分離には、第一スロットに関連付けられているリファレンスシンボルを表す第一シーケンスの複素共役を第一の多重化されているデータおよびリファレンスシンボルに乗算して第一の積を求めることが含まれている。この実施態様では多重分離には、第二スロットに関連付けられているリファレンスシンボルを表す第二シーケンスの複素共役を第二の多重化されているデータおよびリファレンスシンボルに乗算して第二の積を求めることがさらに含まれている。この実施態様の最後の演算には第一の積から第二の積を減算することが含まれている。ある例では、第一および第二のシーケンスは、巡回シフトが異なっていてもシーケンスグループが同じでベースシーケンスが異なっている。別の例では、第一および第二のシーケンスは、巡回シフト、シーケンスグループ、ベースシーケンスがいずれも異なっている。
【００２３】
別の実施態様では、データおよびリファレンスシンボルの多重分離には第一スロットに関連付けられているリファレンスシンボルを表す第一シーケンスを第二の多重化されているデータおよびリファレンスシンボルに乗算すること、および、第二スロットに関連付けられているリファレンスシンボルを表す第二シーケンスの複素共役を前記の積に乗算することが含まれている。この実施態様では多重分離には、第一の多重化されているデータおよびリファレンスシンボルから乗算により得られた積を減算することがさらに含まれている。この実施態様のある変形例では、第一および第二のシーケンスが異なる巡回シフト、同じシーケンスグループ、異なるベースシーケンスを有していても構わない。別の変形例では、第一および第二のシーケンスは異なる巡回シフト、シーケンスグループ、ベースシーケンスを有している。
【００２４】
以上に示した実施態様の別の側面は、無線通信システム内のユーザ機器から多重化されたデータおよびリファレンスシンボルを受信する手段を有している装置に関連している。ここで、個々の多重化されたデータおよびリファレンスシンボルは無線通信システムに関連付けられている多重化されていないデータまたはリファレンスシンボルと同じ時間周波数範囲を占めている。この装置は、受信した多重化されているデータおよびリファレンスシンボルからデータシンボルを多重分離する手段をさらに有している他に多重分離されたデータシンボルの推定を生成する手段を有している。
【００２５】
以上に示した実施態様の別の側面は、プロセッサが実行することのできるコードを有しているメモリとプロセッサとを具備している装置に関連している。プロセッサが実行することのできるコードは、プロセッサにより実行されると、無線通信システム内のユーザ機器から多重化されたデータおよびリファレンスシンボルを受信するように装置を設定する。ここで、個々の多重化されたデータおよびリファレンスシンボルは無線通信システムに関連付けられている多重化されていないデータまたはリファレンスシンボルと同じ時間周波数範囲を占めている。プロセッサが実行することのできるコードは、プロセッサにより実行されると、受信した多重化されているデータおよびリファレンスシンボルからデータシンボルを多重分離して多重分離されたデータシンボルの推定を生成するように装置を設定する。
【００２６】
以上に示した実施態様の別の側面では一時的でないコンピュータ可読媒体上に実現されているコンピュータプログラム製品が提供される。コンピュータプログラム製品には多重化されているデータおよびリファレンスシンボルを無線通信システム内のユーザ機器から受信するプログラムコードが含まれている。ここで、個々の多重化されているデータおよびリファレンスシンボルは無線通信システムに関連付けられている多重化されていないデータまたはリファレンスシンボルと同じ時間周波数範囲を占めている。コンピュータプログラム製品には、受信した多重化されているデータおよびリファレンスシンボルからデータシンボルを多重分離するプログラムコードや多重分離されたデータシンボルの推定を生成するプログラムコードも含まれている。
【００２７】
様々な実施態様に関する以上の諸特徴やそれ以外の諸特徴は、構成や作動様式と共に、類似した部品に類似した参照符号が全体に亘って付いている添付図面と共に以下の詳細な説明から明らかになる。
【００２８】
図面を参照して以下に説明されているどの実施態様も例として示されているのであって限定のために示されているのではない。
【図面の簡単な説明】
【００２９】
【図１】図１は、無線通信システムを示す図である。
【図２】図２は、通信システムのブロック図である。
【図３】図３は、無線通信システムにおける正規のサイクリックプレフィクスおよび拡張サイクリックプレフィクスを有している無線サブフレームの例を示す図である。
【図４】図４は、典型的な実施態様にしたがっている多重化されたデータおよびリファレンスシンボルの例を示す図である。
【図５】図５は、典型的な実施態様にしたがっている多重化されたデータおよびリファレンスシンボルの別の例を示す図である。
【図６】図６は、典型的な実施態様にしたがってデータおよびリファレンスシンボルを多重化するコンポーネントのグループを例示する図である。
【図７】図７は、典型的な実施態様にしたがってデータおよびリファレンスシンボルを多重化するコンポーネントの別のグループを例示する図である。
【図８】図８は、典型的な実施態様にしたがってデータおよびリファレンスシンボルを多重化する過程を例示する図である。
【図９】図９は、典型的な実施態様にしたがってデータおよびリファレンスシンボルを多重分離するコンポーネントのグループを例示する図である。
【図１０】図１０は、典型的な実施態様にしたがってデータおよびリファレンスシンボルを多重分離するコンポーネントの別のグループを例示する図である。
【図１１】図１１は、典型的な実施態様にしたがって受信したデータシンボルの推定過程を例示する図である。
【図１２】図１２は、典型的な実施態様にしたがってデータおよびリファレンスシンボルの多重化を実行するように装置を設定する処理の例を示す図である。
【図１３】図１３は、様々な実施態様を実装することのできるシステムの例を示す図である。
【図１４】図１４は、様々な実施態様を実装することのできる装置の例を示す図である。
【詳細な説明】
【００３０】
以上に概要を示した種々様々な実施態様を完全に理解することができるように飽くまでも限定ではなく説明の目的で以下に詳細を提示する。ところで、以下に示す詳細な説明から逸脱している別の実施態様においてもこれから詳述する様々な実施態様を実装することができることはこの技術分野で通常の知識を有する者には明らかである。
【００３１】
ここで用いる用語「コンポーネント（component）」、「モジュール（module）」、「システム（system）」、その他は、ハードウェア、ファームウェア、ハードウェアとソフトウェアとの組み合わせ、ソフトウェア、実行中のソフトウェアを含めたコンピュータ関連の実体を指している。一例を挙げればコンポーネントは、プロセッサが実行している処理、プロセッサ、オブジェクト、実行ファイル、実行スレッド、プログラム、コンピュータのいずれでも構わないが、これらに限定される訳ではない。例えば、演算装置が実行しているアプリケーションと演算装置はどちらもコンポーネントである。一種類以上のコンポーネントが一本の実行スレッドや単一の処理に関与していることもあれば、一種類のコンポーネントが一台のコンピュータに配置されていたり二台以上のコンピュータに分散されていたりすることもある。さらに、様々なデータ構造が格納されている様々なコンピュータ可読媒体からこれらのコンポーネントを実行することができる。さらに、データパケットを搬送する信号を利用すれば局地や遠方での処理のためにコンポーネントを伝達することができる（例えば、あるコンポーネントからのデータがローカルシステムや分散システムの別のコンポーネントと相互作用をしたり、インターネットのようなネットワークを介してシグナルにより別のシステムと相互作用をしたりすることができる）。
【００３２】
さらに、幾つかの実施態様がユーザ機器との関連で以下に記載されている。ユーザ機器はユーザ端末とも呼ばれていて、システム、加入者ユニット、加入者ステーション、移動ステーション、移動無線端末、移動装置、ノード、装置、リモートステーション、リモート端末、端末、無線通信装置、無線通信機器、ユーザエージェントの各機能の幾つかまたは全てを備えている。ユーザ機器は、小型携帯移動電話機、コードレス電話、セッションイニシエーションプロトコル（ＳＩＰ：Session Initiation Protocol）フォン、スマートフォン、無線ローカルループ（ＷＬＬ：wireless local loop）ステーション、パーソナルデジタルアシスタント（ＰＤＡ：personal digital assistant）、ラップトップ、手持ち式通信装置、手持ち式演算装置、サテライトラジオ、無線モデムカードや無線システムで通信をするその他の処理装置のいずれでも構わない。さらに、基地局との関連で様々な側面が以下に記載されている。一台以上の無線端末と通信をするために基地局を使用することができる。基地局は、アクセスポイント、無線ノード、ノードＢ、進化したノードＢ（ｅＮＢ）、その他のネットワーク実体のそれぞれの機能の幾つかまたは全てを有していることもあり、アクセスポイント、無線ノード、ノードＢ、進化したノードＢ（ｅＮＢ）、その他のネットワーク実体と呼ばれることがある。さらに、様々な側面が基地局との関連で以下に記載されている。基地局は、エアインターフェースにより無線端末と通信をする。通信は、一つ以上のセクタに亘って行われる。基地局は、無線端末とそれ以外のアクセスネットワークとの間のルータとして機能することもできる。アクセスネットワークがインターネットプロトコル（ＩＰ）ネットワークである場合には受信したエアインターフェースフレームをＩＰパケットに変換することによってルータとして機能する。基地局は、エアインターフェースの属性の管理を調整することもできる。基地局は、有線ネットワークと無線ネットワークとの間のゲートウェイでもある。
【００３３】
装置やコンポーネントやモジュール、その他を幾つも有しているシステムの観点から様々な側面や実施態様や特徴を以下に提示する。図面を参照して以下に説明するシステムは、別の装置、コンポーネント、モジュール、その他を追加的に備えている場合もあれば、そのような追加的な装置、コンポーネント、モジュール、その他を全く備えていない場合もあることを理解し認識しておく必要がある。これらの手法を組合せて用いることもできる。
【００３４】
ここで使用している用語「典型的な（exemplary）」は、実例、事例、例証として役に立つことを意味している。「典型的な」ものとしてここに記載した態様や構想が他の態様や構想よりも好ましいとか優れているとかと解釈する必要はない。むしろ、着想の具体化を例示するために用語「典型的な」を使用している。
【００３５】
ここに詳細を開示する様々な実施態様はいずれも通信システムに組み込むことができる。ある例では、そのような通信システムは、全システム帯域幅を複数（ＮＦ）個のサブキャリアに効果的に分割する複数個の直交周波数分割多重化（ＯＦＤＭ：orthogonal frequency division multiplexing）を用いている。サブキャリアは、周波数サブチャネル（frequency sub-channels）、トーン（tones）、周波数ビン（frequency bins）と呼ばれることもある。ＯＦＤＭシステムでは、伝送するデータ（例えば、情報ビット）を特定のコード体系で最初に符号化して、符号化されたビットを生成する。符号化されたビットをマルチビットシンボル（multi-bit symbols）にさらに分類してから変調シンボルにマッピングする。どの変調シンボルもデータ伝送に用いられる特定の変調方式（例えば、Ｍ−ＰＳＫやＭ−ＱＡＭ）により定まるシグナルコンステレーションのいずれかの点に対応している。個々の周波数サブキャリアの帯域幅に依存している時間間隔毎にＮＦ個の周波数サブキャリアの各々によって変調シンボルが伝送される。したがって、システム帯域幅に亘る減衰の異なる量によって特徴付けられる周波数選択フェージング（frequency selective fading）に起因するシンボル間干渉（ＩＳＩ：inter-symbol interference）の除去にＯＦＤＭが用いられる。
【００３６】
先に指摘したように、基地局とユーザ機器との間のアップリンクおよびダウンリンクによる通信は、シングルインシングルアウト（single-in-single-out）、マルチインシングルアウト（multiple-in-single-out）、マルチインマルチアウト（ＭＩＭＯ：multiple-in-multiple-out）のいずれかのシステムにより確立することができる。ＭＩＭＯシステムでは、複数（ＮＴ）本の送信アンテナと複数（ＮＲ）本の受信アンテナとがデータの伝送に用いられている。ＮＴ本の送信アンテナとＮＲ本の受信アンテナとにより形成されるＭＩＭＯチャネルは、空間チャネル（spatial channels）と呼ばれることもあるＮＳ本の独立したチャネルに分解することができる。ここで、ＮＳ≦ｍｉｎ｛ＮＴ，ＮＲ｝である。ＮＳ本の独立したチャネルの各々は次元（dimension）に対応している。ＭＩＭＯシステムでは、送信および受信のそれぞれに用いられる複数本のアンテナにより齎される付加的な次元数（additional dimensionalities）を利用すればパフォーマンスを改善することができる（例えば、スループットおよび信頼性の両方または一方を高めることができる）。ＭＩＭＯシステムは、時分割複信（ＴＤＤ：time division duplex）や周波数分割複信（ＦＤＤ：frequency division duplex）をもサポートしている。ＴＤＤシステムでは、順方向および逆方向の両リンクによる伝送が同じ周波数領域で行われるので相反定理（reciprocity principle）により逆方向リンクチャネルから順方向リンクチャネルの推定が可能である。したがって、基地局で複数本のアンテナを利用することができるのであれば、この推定により基地局は順方向リンクで伝送ビームフォーミング利得（transmit beamforming gain）を引き出すことができる。
【００３７】
図１には、ここに詳細を開示する様々な実施態様を実装することのできる無線通信システムが例示されている。基地局１００は、一本以上のアンテナで構成されているアンテナグループを複数種類備えている。例えば、基地局１００がアンテナを６本備えているとすれば、あるアンテナグループが第一のアンテナ１０４と第二のアンテナ１０６とで構成されていて、別のアンテナグループが第三のアンテナ１０８と第四のアンテナ１１０とで構成されていて、第三のアンテナグループが第五のアンテナ１１２と第六のアンテナ１１４とで構成されている。ここでは、どのアンテナグループも二本のアンテナで構成されているものと仮定しているが、個々のアンテナグループを構成しているアンテナの本数は二本より多くても少なくても構わない。
【００３８】
図１に戻る。第一のユーザ機器１１６が、例えば、第五のアンテナ１１２および第六のアンテナ１１４と通信をしていて、第一の順方向リンク１２０により第一のユーザ機器１１６に情報を伝送したり、第一の逆方向リンク１１８により第一のユーザ機器１１６から情報を受信したりしているところが示されている。図１には、第二のユーザ機器１２２も示されている。この機器は、例えば、第三のアンテナ１０８および第四のアンテナ１１０と通信をしていて、第二の順方向リンク１２６により第二のユーザ機器１２２に情報を伝送したり、第二の逆方向リンク１２４により第二のユーザ機器１２２から情報を受信したりしている。周波数分割複信（ＦＤＤ）システムでは、図１に示されている通信リンク１１８、１２０、１２４、１２６は通信に異なる周波数を使用する。例えば、第一の順方向リンク１２０で使用される周波数は第一の逆方向リンク１１８で使用される周波数とは異なっている。
【００３９】
幾つかの実施態様では、アンテナが通信するように設計されている領域やアンテナの個々のグループは基地局のセクタとよく呼ばれる。例えば、図１に描かれている異なるアンテナグループは基地局１００のセクタ内のユーザ機器と通信をするように設計されている。順方向リンク１２０や１２６による通信では、ユーザ機器１１６および１２２のそれぞれについて順方向リンクの信号対雑音比を改善するために基地局１００の送信アンテナはビームフォーミングを利用する。また、有効範囲全体に亘って任意に点在しているユーザ機器にビームフォーミングを用いて伝送している基地局は一本のアンテナから全ユーザ機器に向けて全方向に伝送している基地局に比べて隣接セルのユーザ機器に干渉を引き起こすことが少ない。
【００４０】
ここに詳細を開示する種々の実施態様の幾つかを適用することのできる通信ネットワークは論理チャネル（logical channels）を有している。論理チャネルは、制御チャネル（Control Channels）とトラフィックチャネル（Traffic Channels）とに分類することができる。論理制御チャネルは以下で構成されている。システム制御情報を一斉送信するダウンリンクチャネルである報知制御チャネル（ＢＣＣＨ：Broadcast Control Channel）。ページング情報を転送するダウンリンクチャネルであるページング制御チャネル（ＰＣＣＨ：Paging Control Channel）。マルチメディアブロードキャストおよびマルチキャストのサービス（ＭＢＭＳ：Multimedia Broadcast and Multicast Service）のスケジューリングや制御情報を一本以上のマルチキャストトラフィックチャネル（ＭＴＣＨｓ：multicast traffic channels）に送信するために用いられるポイントツーマルチポイント（Point-to-multipoint）ダウンリンクチャネルであるマルチキャスト制御チャネル（ＭＣＣＨ：Multicast Control Channel）。一般にこのチャネルは、ＭＢＭＳを受信するユーザ機器のみにより無線リソース制御（ＲＲＣ：radio resource control）接続の確立後に使用される。個別制御チャネル（ＤＣＣＨ：Dedicated Control Channel）は、ＲＲＣ接続をしているユーザ機器が使用するユーザ固有の制御情報である個別制御情報を転送するポイントツーポイントの双方向チャネルである別の論理制御チャネルである。共通制御チャネル（ＣＣＣＨ：Common Control Channel）も論理制御チャネルであり、ランダムアクセス情報のために使用することができる。論理トラフィックチャネルは以下で構成されている。ユーザ情報の転送に一台のユーザ機器だけが使用するポイントツーポイント双方向チャネルである個別トラフィックチャネル（ＤＴＣＨ：Dedicated Traffic Channel）。トラフィックデータのポイントツーマルチポイントダウンリンク伝送に用いられるマルチキャストトラフィックチャネル（ＭＴＣＨ：Multicast Traffic Channel）。
【００４１】
様々な実施態様の幾つかを適用することのできる通信ネットワークは、ダウンリンク（ＤＬ）とアップリンク（ＵＬ）とに分類される論理トランスポートチャネルをも備えている。ＤＬトランスポートチャネルは、報知チャネル（ＢＣＨ：Broadcast Channel）、ダウンリンク共有データチャネル（ＤＬ−ＳＤＣＨ：downlink shared data channel）、マルチキャストチャネル（ＭＣＨ：multicast channel）、ページングチャネル（ＰＣＨ：paging channel）を有している。ＵＬトランスポートチャネルは、ランダムアクセスチャネル（ＲＡＣＨ：random access channel）、リクエストチャネル（ＲＥＱＣＨ：request channel）、アップリンク共有データチャネル（ＵＬ−ＳＤＣＨ：uplink shared data channel）、複数本の物理データチャネルを有している。物理チャネルはダウンリンクおよびアップリンクのチャネルを一式備えている。
【００４２】
ここに開示する実施態様の中にはダウンリンク物理チャネルが次に示す諸チャネルの少なくとも一つを備えている態様がある。共通パイロットチャネル（ＣＰＩＣＨ：common pilot channel）、同期チャネル（ＳＣＨ：synchronization channel）、共通制御チャネル（ＣＣＣＨ：common control channel）、共有ダウンリンク制御チャネル（ＳＤＣＣＨ：shared downlink control channel）、マルチキャスト制御チャネル（ＭＣＣＨ：multicast control channel）、共有アップリンク割り当てチャネル（ＳＵＡＣＨ：shared uplink assignment channel）、確認通知チャネル（ＡＣＫＣＨ：acknowledgement channel）、ダウンリンク物理共有データチャネル（ＤＬ−ＰＳＤＣＨ：downlink physical shared data channel）、アップリンク電力制御チャネル（ＵＰＣＣＨ：uplink power control channel）、呼び出し通知チャネル（ＰＩＣＨ：paging indicator channel）、負荷通知チャネル（ＬＩＣＨ：load indicator channel）、物理報知チャネル（ＰＢＣＨ：physical broadcast channel）、物理制御フォーマット通知チャネル（ＰＣＦＩＣＨ：physical control format indicator channel）、物理ダウンリンク制御チャネル（ＰＤＣＣＨ：physical downlink control channel）、物理ハイブリッドＡＲＱ通知チャネル（ＰＨＩＣＨ：physical hybrid ARQ indicator channel）、物理ダウンリンク共有チャネル（ＰＤＳＣＨ：physical downlink shared channel）、物理マルチキャストチャネル（ＰＭＣＨ：physical multicast channel）。アップリンク物理チャネルは次に示す諸チャネルの少なくとも一つを備えている。物理ランダムアクセスチャネル（ＰＲＡＣＨ：physical random access channel）、チャネル品質通知チャネル（ＣＱＩＣＨ：channel quality indicator channel）、確認通知チャネル（ＡＣＫＣＨ：acknowledgement channel）、アンテナサブセット通知チャネル（ＡＳＩＣＨ：antenna subset indicator channel）、共有リクエストチャネル（ＳＲＥＱＣＨ：shared request channel）、アップリンク物理共有データチャネル（ＵＬ−ＰＳＤＣＨ：uplink physical shared data channel）、広帯域パイロットチャネル（ＢＰＩＣＨ：broadband pilot channel）、物理アップリンク制御チャネル（ＰＵＣＣＨ：physical uplink control channel）。
【００４３】
さらに、様々な実施態様を説明する際には次に示す用語や特長を使用する。
【００４４】
３Ｇ        3rd Generation  第３世代
３ＧＰＰ    3rd Generation Partnership Project  第３世代パートナーシッププロジェクト
ＡＣＬＲ    Adjacent channel leakage ratio  隣接チャネル漏洩電力比
ＡＣＰＲ    Adjacent channel power ratio  隣接チャネル電力比
ＡＣＳ             Adjacent channel selectivity  隣接チャネル選択度
ＡＤＳ             Advanced Design System  先進的設計システム
ＡＭＣ             Adaptive modulation and coding  適応変調符号化
Ａ−ＭＰＲ  Additional maximum power reduction  追加最大パワー低減
ＡＲＱ             Automatic repeat request  自動再送要求
ＢＣＣＨ    Broadcast control channel  報知制御チャネル
ＢＴＳ             Base transceiver station  基地局
ＣＤＤ             Cyclic delay diversity  巡回遅延ダイバーシチ
ＣＣＤＦ    Complementary cumulative distribution function  相補累積分布関数
ＣＤＭＡ    Code division multiple access  符号分割多元接続
ＣＦＩ             Control format indicator  制御フォーマットインジケータ
Ｃｏ−ＭＩＭＯ     Cooperative MIMO  協調ＭＩＭＯ
ＣＰ               Cyclic prefix  サイクリックプレフィクス
ＣＰＩＣＨ         Common pilot channel  共通パイロットチャネル
ＣＰＲＩ           Common public radio interface  共通公衆無線インターフェース
ＣＱＩ                  Channel quality indicator  チャネル品質インジケータ
ＣＲＣ                  Cyclic redundancy check  巡回冗長検査
ＤＣＩ                  Downlink control indicator  ダウンリンク制御インジケータ
ＤＦＴ                  Discrete Fourier Transform  離散フーリエ変換
ＤＦＴ−ＳＯＦＤＭ Discrete Fourier transform spread OFDM  離散フーリエ変換拡散ＯＦＤＭ
ＤＬ               Downlink（base station to subscriber transmission）  ダウンリンク（基地局から加入者局への伝送）
ＤＬ−ＳＣＨ            Downlink shared channel  ダウンリンク共有チャネル
ＤＳＰ                  Digital signal processing  デジタル信号処理
ＤＴ               Development toolset  開発ツールセット
ＤＶＳＡ           Digital vector signal analysis  デジタルベクトル信号解析
ＥＤＡ                  Electronic design automation  電子自動設計
Ｅ−ＤＣＨ         Enhanced Dedicated Channel  拡張個別チャネル
Ｅ−ＵＴＲＡＮ     Evolved UMTS terrestrial radio access network  進化したＵＭＴＳ地上無線アクセスネットワーク
ｅＭＢＭＳ         Evolved multimedia broadcast multicast service  進化したマルチメディアブロードキャストマルチキャストサービス
ｅＮＢ                  Evolved Node B  進化したノードＢ
ＥＰＣ                  Evolved Packet Core  発展型パケットコア網
ＥＰＲＥ           Energy per resource element  リソースエレメント当たりのエネルギー
ＥＴＳＩ           European Telecommunications Standards Institute  欧州電気通信規格協会
Ｅ−ＵＴＲＡ            Evolved UTRA  進化したＵＴＲＡ
Ｅ−ＵＴＲＡＮ     Evolved UTRAN  進化したＵＴＲＡＮ
ＥＶＭ                  Error vector magnitude  エラーベクトル振幅
ＦＤＤ                  Frequency division duplex  周波数分割複信
ＦＦＴ                  Fast Fourier transform  高速フーリエ変換
ＦＲＣ                  Fixed reference channel  固定リファレンスチャネル
ＦＳ１                  Frame structure type 1  フレーム構造タイプ１
ＦＳ２                  Frame structure type 2  フレーム構造タイプ２
ＧＳＭ（登録商標） Global System for Mobile communications  移動通信のためのグローバルシステム
ＨＡＲＱ           Hybrid automatic repeat request  ハイブリッド自動再送要求
ＨＤＬ                  Hardware description language  ハードウェア記述言語
ＨＩ               HARQ indicator  ＨＡＲＱインジケータ
ＨＳＤＰＡ         High speed downlink packet access  高速ダウンリンクパケットアクセス
ＨＳＰＡ           High speed packet access  高速パケットアクセス
ＨＳＵＰＡ         High speed uplink packet access  高速アップリンクパケットアクセス
ＩＦＦＴ           Inverse FFT  逆ＦＦＴ
ＩＯＴ                  Interoperability test  相互運用性テスト
ＩＰ               Internet protocol  インターネットプロトコル
ＬＯ               Local oscillator  局部発振器
ＬＴＥ                  Long term evolution  長期的高度化
ＭＡＣ                  Medium access control  メディアアクセス制御
ＭＢＭＳ           Multimedia broadcast multicast service  マルチメディアブロードキャストマルチキャストサービス
ＭＢＳＦＮ         Multicast/broadcast over single-frequency network  マルチキャスト／ブロードキャストオーバシングル周波数ネットワーク
ＭＣＨ                  Multicast channel  マルチキャストチャネル
ＭＩＭＯ           Multiple input multiple output  マルチ入力マルチ出力
ＭＩＳＯ           Multiple input single output  マルチ入力シングル出力
ＭＭＥ                  Mobility management entity  モビリティ管理エンティティ
ＭＯＰ                  Maximum output power  最大出力電力
ＭＰＲ                  Maximum power reduction  最大電力低減
ＭＵ−ＭＩＭＯ     Multiple user MIMO  マルチユーザＭＩＭＯ
ＮＡＳ                  Non-access stratum  非アクセス階層
ＯＢＳＡＩ         Open base station architecture interface  公開基地局アーキテクチャインターフェース
ＯＦＤＭ           Orthogonal frequency division multiplexing  直交周波数分割多重化
ＯＦＤＭＡ         Orthogonal frequency division multiple access  直交周波数分割多元接続
ＰＡＰＲ           Peak-to-average power ratio  ピーク対平均電力比
ＰＡＲ                  Peak-to-average ratio  ピーク対平均比
ＰＢＣＨ           Physical broadcast channel  物理報知チャネル
Ｐ−ＣＣＰＣＨ     Primary common control physical channel  主要共通制御物理チャネル
ＰＣＦＩＣＨ            Physical control format indicator channel  物理制御フォーマット通知チャネル
ＰＣＨ                  Paging channel  ページングチャネル
ＰＤＣＣＨ         Physical downlink control channel  物理ダウンリンク制御チャネル
ＰＤＣＰ           Packet data convergence protocol  パケットデータコンバージェンスプロトコル
ＰＤＳＣＨ         Physical downlink shared channel  物理ダウンリンク共有チャネル
ＰＨＩＣＨ         Physical hybrid ARQ indicator channel  物理ハイブリッドＡＲＱインジケータチャネル
ＰＨＹ                  Physical layer  物理層
ＰＲＡＣＨ         Physical random access channel  物理ランダムアクセスチャネル
ＰＭＣＨ           Physical multicast channel  物理マルチキャストチャネル
ＰＭＩ                  Pre-coding matrix indicator  プリコーディングマトリクスインジケータ
Ｐ−ＳＣＨ         Primary synchronization signal  主要同期シグナル
ＰＵＣＣＨ         Physical uplink control channel  物理アップリンク制御チャネル
ＰＵＳＣＨ         Physical uplink shared channel  物理アップリンク共有チャネル
図２は、様々な実施態様を採用することのできる典型的な通信システムのブロック図である。図２に描かれているＭＩＭＯ通信システム２００は、送信機システム２１０（例えば、基地局またはアクセスポイント）およびＭＩＭＯ通信システム２００の中の受信機システム２５０（アクセス端末またはユーザ機器）で構成されている。図示したように基地局を送信機システム２１０、ユーザ機器を受信機システム２５０とそれぞれ呼んでいるが、このようなシステムのどの実施態様でも双方向通信が可能であることを通常の知識を有する者であれば認識している。この点に関して用語「送信機システム２１０」および「受信機システム２５０」は、それぞれのシステムによる単一方向の通信を意味するものとしてはどちらも用いられていないことに注意すること。また、図２の送信機システム２１０および受信機システム２５０はどちらも図２には明確に示されていない複数台の他の受信機システムや送信機システムと通信をすることができることにも注意すること。送信機システム２１０では、複数本のデータストリームに関するトラフィックデータがデータソース２１２から送信（ＴＸ）データプロセッサ２１４に供給される。どのデータストリームもそれぞれの送信機システムにより送信される。ＴＸデータプロセッサ２１４は、データストリームのために選択された特定の符号化方式に基づいてトラフィックデータのフォーマット化、符号化、インターリーブをデータストリーム毎に行って符号化された符号化データを供給する。
【００４５】
データストリーム毎に符号化された符号化データは、例えば、ＯＦＤＭ技術を用いてパイロットデータで多重化される。一般にパイロットデータは、機知の方法で処理されて受信機システムでチャネル応答の推定に用いられる既知のデータパターンである。データストリーム毎に多重化されたパイロットと符号化データは次に当該データストリームのために選択された特定の変調方式（例えば、ＢＰＳＫ、ＱＳＰＫ、Ｍ−ＰＳＫ、Ｍ−ＱＡＭのいずれか）に基づいて変調（シンボルマッピング（symbol mapped））されて変調シンボルが供給される。プロセッサ２３０が実行する命令によってデータレートや符号化や変調をデータストリーム毎に決めることができる。
【００４６】
図２の典型的なブロック図では、変調シンボルを（例えば、ＯＦＤＭ用に）さらに処理することのできるＴＸ  ＭＩＭＯプロセッサ２２０に全データストリームの変調シンボルが供給される。ＴＸ  ＭＩＭＯプロセッサ２２０はＮＴ本の変調シンボルストリームをＮＴ台の送信機システムトランシーバ（ＴＭＴＲ）２２２ａ〜２２２ｔに供給する。ある実施態様では、ＴＸ  ＭＩＭＯプロセッサ２２０はデータストリームのシンボルやこのシンボルを送信するアンテナにビームフォーミングの重みを加えている。
【００４７】
送信機システムトランシーバ２２２ａ〜２２２ｔは、それぞれがシンボルストリームの受信および処理をして一種類以上のアナログ信号を供給し、さらに当該アナログ信号の調整をしてＭＩＭＯチャネルによる送信に好適な変調信号を供給する。幾つかの実施態様では、増幅やフィルタリングやアップコンバートなどの処理がこの調整に含まれているが、これらの処理に限定される訳ではない。送信機システムトランシーバ２２２ａ〜２２２ｔにより生成された変調信号は図２に示されている送信機システムアンテナ２２４ａ〜２２４ｔから送信される。
【００４８】
受信機システム２５０では、送信された変調信号が受信機システムアンテナ２５２ａ〜２５２ｒで受信され、各受信機システムアンテナ２５２ａ〜２５２ｒからの受信信号がそれぞれの受信機システムトランシーバ（ＲＣＶＲ）２５４ａ〜２５４ｒに供給される。各受信機システムトランシーバ２５４ａ〜２５４ｒは、それぞれの受信信号の調整をし、調整した信号をデジタル化してサンプルを供給し、このサンプルをさらに処理して対応する「受信」シンボルストリームを供給する。幾つかの実施態様では、フィルタリングや増幅やダウンコンバートなどの処理がこの調整に含まれているが、これらの処理に限定される訳ではない。
【００４９】
ＲＸデータプロセッサ２６０は、受信機システムトランシーバ２５４ａ〜２５４ｒからシンボルストリームを受信し、特定の受信機処理技術に基づく処理を施して複数本の「検出」シンボルストリームを供給する。ある例では個々の検出シンボルストリームは、対応するデータストリームのために送信されたシンボルの推定であるシンボルを含むことができる。次に、ＲＸデータプロセッサ２６０は復調やデインターリーブや復号の処理を少なくとも部分的に個々の検出シンボルストリームに施してデータストリームのトラフィックデータを回復する。ＲＸデータプロセッサ２６０による処理は、送信機システム２１０でＴＸ  ＭＩＭＯプロセッサ２２０やＴＸデータプロセッサ２１４が実行する処理の補完である。ＲＸデータプロセッサ２６０は、処理したシンボルストリームをデータシンク２６４に付加的に供給する。
【００５０】
幾つかの実施態様ではチャネル応答の推定がＲＸデータプロセッサ２６０で生成されて、空間や時間の処理、電力水準の調整、変調のレートや方式の変更、その他の適切な処理に受信機システム２５０で用いられる。また、ＲＸデータプロセッサ２６０は検出シンボルストリームの信号対雑音比（ＳＮＲ：signal-to-noise ratio）や信号対干渉比（ＳＩＲ：signal-to-interference ratio）のようなチャネル特性も推定することができる。次に、ＲＸデータプロセッサ２６０は推定チャネル特性をプロセッサ２７０に供給する。ある例では、受信機システム２５０のＲＸデータプロセッサ２６０やプロセッサ２７０はシステムの「作動中の（operating）」ＳＮＲの推定も導き出すことができる。受信機システム２５０のプロセッサ２７０は、通信リンクや受信したデータストリームに関する情報を含むチャネル状態情報（ＣＳＩ:channel state information）を供給することができる。この情報には、例えば、作動中のＳＮＲや他のチャネル情報が含まれていて、ユーザ機器のスケジューリング、ＭＩＭＯの設定、変調や符号化の選択、その他について適切な決定を下すために送信機システム２１０がこの情報を使用する。受信機システム２５０では、プロセッサ２７０が生成したＣＳＩをＴＸデータプロセッサ２３８が処理し、変調器２８０が変調し、受信機システムトランシーバ（ＲＣＶＲ）２５４ａ〜２５４ｒが調整し、送信機システム２１０が送信する。さらに、受信機システム２５０のデータソース２３６はＴＸデータプロセッサ２３８が処理する付加的なデータを供給することもできる。
【００５１】
幾つかの実施態様では、受信機システム２５０のプロセッサ２７０はどのプリコーディングされているマトリックスを使用するのかを定期的に決める。プロセッサ２７０は、マトリックスのインデックス部とランク値部とから成る逆方向リンクメッセージを作成する。逆方向リンクメッセージは、通信リンクや受信データストリームに関する様々な種類の情報から成っている。逆方向リンクメッセージは、複数本のデータストリームに関するトラフィックデータをデータソース２３６から受信するＴＸデータプロセッサ２３８により受信機システム２５０で処理される。処理された情報は、変調器２８０で変調され、一台以上の受信機システムトランシーバ２５４ａ〜２５４ｒで調整され、送信により送信機システム２１０に戻される。
【００５２】
ＭＩＭＯ通信システム２００の幾つかの実施態様では受信機システム２５０は空間的に多重化されている信号を受信したり処理したりすることができる。このようなシステムでは、送信機システムアンテナ２２４ａ〜２２４ｔで異なるデータストリームの多重化および送信を行うことにより送信機システム２１０で空間多重化が生じる。これは、複数本の送信機システムアンテナ２２４ａ〜２２４ｔから同じデータストリームが送信される送信ダイバーシチ方式とは著しく異なっている。空間的に多重化されている信号の受信および処理の可能なＭＩＭＯ通信システム２００では、送信機システムアンテナ２２４ａ〜２２４ｔのそれぞれから送信される信号が互いに関連付けられてしまうことのないようにプリコードマトリックス（precode matrix）が送信機システム２１０で一般に用いられる。受信機システムアンテナ２５２ａ〜２５２ｒに到達した複合信号を受信したり、別の送信機システムアンテナ２２４ａ〜２２４ｔからの別のデータストリームを搬送している信号の存在下で個々のデータストリームを判定したりすることがこの非関連付けにより確実に行われる。
【００５３】
ストリーム相互間における相互相関の量は環境の影響を受けるので受信信号に関する情報を送信機システム２１０にフィードバックすると受信機システム２５０には有利である。このようなシステムでは、送信機システム２１０および受信機システム２５０はどちらもプリコードマトリックスを幾つか採録しているコードブックを備えている。幾つかの例では、どのプリコードマトリックスも受信信号が経験した相互相関の量に関連付けられている。特定のマトリックスのインデックスを送信する方が特定のマトリックスに示されている値を送信するよりも有利なので、受信機システム２５０から送信機システム２１０に送信されるフィードバック制御信号には特定のプリコードマトリックスのインデックスが一般に含まれている。幾つかの例では、何本の独立したデータストリームが空間多重化に用いられているのかを送信機システム２１０に指し示すランクインデックスもフィードバック制御信号に含まれている。
【００５４】
別の実施態様では、ＭＩＭＯ通信システム２００は上に述べた空間多重化方式の代わりに送信ダイバーシチ方式を用いるように構成されている。このような実施態様では、送信機システムアンテナ２２４ａ〜２２４ｔ全体から同じデータストリームが送信される。このような実施態様では、受信機システム２５０に伝送されるデータレートは空間的に多重化されているＭＩＭＯ通信システム２００よりも一般に低い。このような実施態様では通信チャネルは堅固で信頼性がある。送信ダイバーシチシステムでは、送信機システムアンテナ２２４ａ〜２２４ｔから送信された信号のそれぞれは異なる干渉環境（例えば、フェージング、反射、マルチパス位相ずれ）を経験する。このような実施態様では、受信機システムアンテナ２５２ａ〜２５２ｒで受信した異なる信号の特性が適切なデータストリームを特定するのに有益である。このような実施態様では、送信機システム２１０に空間多重化を使用しないように命じるためにランクインジケータは一般に１に設定される。
【００５５】
別の実施態様では空間多重化と送信ダイバーシチとの組合せが用いられている。例えば、４本の送信機システムアンテナ２２４ａ〜２２４ｔを使用しているＭＩＭＯ通信システム２００では、送信機システムアンテナ２２４ａ〜２２４ｔの内の２本で第１データストリームが送信され、送信機システムアンテナ２２４ａ〜２２４ｔの内の残りの２本で第２データストリームが送信される。このような実施態様では、プリコードマトリックスの最大ランクよりも低い整数にランクインデックスを設定して空間多重化と送信ダイバーシチとの組合せを使用するように送信機システム２１０に指示している。
【００５６】
送信機システム２１０では、受信機システム２５０からの変調信号が送信機システムアンテナ２２４ａ〜２２４ｔにより受信され、送信機システムトランシーバ２２２ａ〜２２２ｔにより調整され、送信機システム復調器２４０により復調され、ＲＸデータプロセッサ２４２により処理されて受信機システム２５０が送信した逆方向リンクメッセージが抽出される。幾つかの実施態様では、今後の順方向リンク送信にどのプリコードマトリックスを使用するのかを送信機システム２１０のプロセッサ２３０が決定して抽出したメッセージを処理する。別の実施態様では、プロセッサ２３０は受信した信号を用いて今後の順方向リンク送信に使用するビームフォーミングの重みを調整する。
【００５７】
別の実施態様では、報告を受けたＣＳＩが送信機システム２１０のプロセッサ２３０に供給されて、例えば、データストリームに使用される符号化や変調の方式の決定だけでなくデータレートの決定にも用いられる。決定された符号化や変調の方式は送信機システム２１０の一台以上の送信機システムトランシーバ２２２ａ〜２２２ｔに供給されて受信機システム２５０への以後の送信や量子化に使用される。その上にまたはその代わりに、報告を受けたＣＳＩを送信機システム２１０のプロセッサ２３０が使用すればＴＸデータプロセッサ２１４やＴＸ  ＭＩＭＯプロセッサ２２０を様々に制御することができる。ある例では、送信機システム２１０のＲＸデータプロセッサ２４２が処理したＣＳＩやその他の情報がデータシンク２４４に供給される。
【００５８】
幾つかの実施態様では、送信機システム２１０のプロセッサ２３０および受信機システム２５０のプロセッサ２７０がそれぞれのシステムの働きを管理している。さらに、送信機システムのプロセッサ２３０および受信機システムのプロセッサ２７０が使用するプログラムコードやデータを送信機システム２１０のメモリ２３２および受信機システム２５０のメモリ２７２がそれぞれ格納している。さらに、受信機システム２５０では、様々な処理技術を用いてＮＲ個の受信信号を処理してＮＴ本の送信シンボルデータを検出している。このような受信機処理技術には空間および時空のレシーバ処理技術（spatial and space-time receiver processing techniques）が含まれる。この技術には、等化技術（equalization techniques）、「逐次的な無効化または等化および干渉取り消し（successive nulling/equalization and interference cancellation）」レシーバ処理技術、「逐次的干渉取り消し（successive interference cancellation）」または「逐次的取り消し（successive cancellation）」レシーバ処理技術が含まれる。
【００５９】
先に指摘したように通常のＬＴＥシステム（すなわち、リリース８）ではアップリンクチャネル伝送チャネルの一部が復調リファレンスシグナル（ＤＭ  ＲＳ：Demodulation Reference Signal）の搬送に専ら用いられている。ＤＭ  ＲＳにより物理アップリンク共有チャネル（ＰＵＳＣＨ：physical uplink shared channel）のチャネル推定や干渉性復調が可能になる。このようなシステムでは、一定のＯＦＤＭシンボルがスロット毎のＤＭ  ＲＳの送信に専ら用いられている。図３は、ＬＴＥリリース８システムにおけるＰＵＳＣＨのアップリンクサブフレーム内のＤＭ  ＲＳシンボルの位置を示している。図３の上の部分は、７個のＯＦＤＭシンボル３０６を時間スロット毎に有している正規の巡回前書き無線サブフレーム３０２を示している。図３に示したように、スロット０の４番目のシンボル３１０およびスロット１の４番目のシンボル３１２はＤＭ  ＲＳの送信に指定されている。図３の下は、スロット毎に６個のＯＦＤＭシンボル３０８を有している拡張巡回前書き無線サブフレーム３０４の類似した略図である。この場合には、スロット０の３番目のシンボル３１４およびスロット１の３番目のシンボル３１６がＤＭ  ＲＳの送信に指定されている。図３の略図に基づいて正規のサイクリックプレフィクスを有しているどの無線サブフレームも１４個のシンボルの内の２個（あるいは、ＰＵＳＣＨ送信帯域幅のほぼ１４％）がＤＭ  ＲＳに関連付けられているシンボルの搬送に用いられる。拡張サイクリックプレフィクスを有している無線サブフレームの場合には１２個のシンボルの内の２個（あるいは、ＰＵＳＣＨ送信帯域幅のほぼ１７％）がＤＭ  ＲＳに関連付けられているシンボルの搬送に用いられる。
【００６０】
開示した実施態様では、無線サブフレーム内のＤＭ  ＲＳに関連付けられているシンボルで一部のデータシンボルを付加的に多重化することによりＤＭ  ＲＳの伝送に関連付けられているオーバーヘッドの減少を達成している。例えば、ＤＭ  ＲＳに関連付けられているオーバーヘッドの減少は伝送ランクが低い場合（例えば、ビームフォーミングに関連付けられているランク１）か信号対干渉および雑音電力比（ＳＩＮＲ：signal to interference and noise ratio）が高い場合に有効になる。図４は、典型的な実施態様にしたがってＤＭ  ＲＳシンボル４１０および４１４で一部のデータシンボル４１２および４１６をそれぞれ付加的に多重化することを可能にする簡単で柔軟な構成の例である。多重化操作の詳細は該当する節で以下に説明する。図４には、参照符号４０４で示したスロット０と参照符号４０６で示したスロット１とがそれぞれ７個のＯＦＤＭシンボル４０８を有している正規のサイクリックプレフィクス無線サブフレーム４０２が典型的な構成として示されている。ここに示した構成を採用すると、通常のＬＴＥリリース８のシステムに比べて正規のサイクリックプレフィクスサブフレームのためのＤＭ  ＲＳの伝送に関連付けられているオーバーヘッドがほぼ半分に（すなわち、ＰＵＳＣＨ伝送容量のほぼ７％にまで）減少する。拡張サイクリックプレフィクスサブフレームのＤＭ  ＲＳの伝送に関連付けられているオーバーヘッドも同様にほぼ半分に（すなわち、ＰＵＳＣＨ伝送容量のほぼ８％にまで）減少する。ＤＭ  ＲＳシンボルで一部のデータシンボルを上に述べたように付加的に多重化することはスロットの境界での周波数ホッピングが禁止されている状況では容易に実施することができる。周波数ホッピングをできないようにすることにより無線フレームのスロット０およびスロット１の両者の伝送に同じ一組のサブキャリアを用いることができるようになる。
【００６１】
図４に示した典型的な略図は一組のＯＦＤＭシンボルを示していることに注意すること。開示されている実施態様は、単一搬送波周波数分割多元接続（ＳＣ−ＦＤＭＡ：single-carrier frequency division multiple access）をアップリンクに用いる構成にも等しく適用することができる。ＳＣ−ＦＤＭＡシステムでは、無線サブフレームの単一搬送波周波数分割多重化（ＳＣ−ＦＤＭ）シンボルが通常のＯＦＤＭＡ処理に先立ってＯＦＤＭシンボルにＤＦＴ処理を付加的に施して生成されたプリコードされているＯＦＤＭシンボルである。
【００６２】
ＬＴＥリリース８のシステムでは、各サブフレームのＤＭ  ＲＳに関連付けられているシンボルにカバーコード［＋１，＋１］が適用される。図４には、ＤＭ  ＲＳシンボル４１０および４１４に［＋１，＋１］のカバーコードを適用し、関連付けられているデータシンボル４１２および４１６に［＋１，−１］のカバーコードを適用することによってデータとＤＭ  ＲＳとの多重化が有効になることがさらに示されている。ここに述べた例示的なカバーコードは根本的な着想の理解を容易にするために示したものであることに注意すること。データとＤＭ  ＲＳとの多重化は二種類の直交カバーコードを適用しても有効になる。第一カバーコードはデータシンボル用であり、第二カバーコードはＤＭ  ＲＳに関連付けられているシンボル用である
図５は、拡張サイクリックプレフィクス無線サブフレーム５０２に関する類似した多重化の構成を示している。この構成では、参照符号５０４のスロット０と参照符号５０６のスロット１のそれぞれが６個のＯＦＤＭシンボル５０８を有している。図４の構成と同じように、ＤＭ  ＲＳシンボル５１０および５１４は一部のデータシンボル５１２および５１６で付加的に多重化される。カバーコード［＋１，＋１］がＤＭ  ＲＳシンボル５１０および５１４に適用され、カバーコード［＋１，−１］が多重化されたデータシンボル５１２および５１６に適用されることも図５に示されている。しかし、先に指摘したように別の直交カバーコードを使用することもできる。
【００６３】
ＬＴＥリリース８のシステムでは、アップリンクリファレンスシグナルは低いキュービックメトリック（ＣＭ：cubic metric）、所望の周期的自己相関特性（cyclic autocorrelation properties）、最適な相互相関値（cross-correlation values）、その他のような所望の特性を有しているシーケンスにより表される。特に、ＤＭ  ＲＳに用いられるシーケンスは以下にしたがって生成される。
【数１】
2013509819.tif 000003
【００６４】
【数２】
2013509819.tif 000004
【００６５】
幾つかの実施態様では、上に示したリファレンスシグナルシーケンスの特別な特性を利用してＤＭ  ＲＳシーケンスとデータシンボルとの多重化を容易にしている。表１は、従来のＬＴＥリリース８のシステムにおけるＤＭ  ＲＳシーケンスの伝送に関連付けられている典型的なシーケンスと個々に開示した実施態様にしたがって生成された二種類の代替シーケンスを示している。いずれのシーケンスも、例えば、正規のサイクリックプレフィクスを有している無線フレームのスロット０およびスロット１のそれぞれの四番目のＯＦＤＭシンボルや拡張サイクリックプレフィクスを有している無線サブフレームのスロット０およびスロット１のそれぞれの三番目のＯＦＤＭシンボルとして伝送することができる。
【表１】
2013509819.tif 000005
【００６６】
スロット０による伝送が指定されている表１の従来のリファレンスシーケンスは式（１）との関連で既に述べた。スロット１による伝送が指定されている従来のリファレンスシーケンスは異なる巡回シフトβの存在を除いてスロット０のシーケンスに類似している。さらに、スロット１の従来のシーケンスもシーケンスグループｓやベースシーケンスｔを有しているが、どちらもシーケンスグループホッピングを使用した場合には、スロット０の対応するシーケンスグループやベースシーケンスとは異なる可能性がある。
【００６７】
【数３】
2013509819.tif 000006
【００６８】
【数４】
2013509819.tif 000007
【００６９】
【数５】
2013509819.tif 000008
【００７０】
【数６】
2013509819.tif 000009
【表２】
2013509819.tif 000010
【００７１】
【数７】
2013509819.tif 000011
【００７２】
【数８】
2013509819.tif 000012
【００７３】
図８は、典型的な実施態様にしたがっている無線通信システムのリファレンスシンボルとデータの多重化を容易にする処理８００を示している。８０２で無線サブフレームに関連付けられている一式のデータとリファレンスシンボルが特定される。特に一揃いのシンボルは、正規のサイクリックプレフィクスを有している無線サブフレーム（図４に示されているサブフレーム４０２）や拡張サイクリックプレフィクスを有している無線サブフレーム（図５に示されているサブフレーム５０２）に対応しているＯＦＤＭシンボルである。８０４では、少なくとも一つのデータシンボルがリファレンスシンボルで多重化される。例えば、多重化の実施により表１に示されている代案１や代案２のシーケンスが生成される。８０６では、多重化されたデータとリファレンスシンボルがアップリンク通信で伝送される。データとリファレンスシンボルとの多重化により開示した実施態様ではデータシンボルの追加的な伝送が可能になるので無線通信システムのデータ通信容量が増大する。
【００７４】
【数９】
2013509819.tif 000013
【００７５】
【数１０】
2013509819.tif 000014
【００７６】
【数１１】
2013509819.tif 000015
【００７７】
図９は、典型的な実施態様にしたがってデータとリファレンスシンボルとが多重化されている代案１の受信シーケンスからデータシンボルを推定するように構成されている一群の構成要素を示している。スロット０の受信シーケンス９０２が乗算器９０６に入力されて、リファレンスシグナルシーケンス共役発生器９１０が生成する出力で乗算される。リファレンスシグナルシーケンス共役発生器９１０の出力はスロット０に関連付けられているリファレンスシグナルの複素共役である。同様に、スロット１の受信シーケンス９０４が乗算器９０８に入力されて、リファレンスシグナルシーケンス共役発生器９１０が生成する出力（すなわち、スロット１に関連付けられているリファレンスシグナルの複素共役）で乗算される。スロット１の乗算器９０８の出力は反転されて（すなわち、極性を逆にして）加算器９１２によりスロット０の加算器９０６の出力に加算される。加算器９１２の出力は（「２の除算器」９１４を用いて）２で除算され、その結果が推定器９１６で処理される。この技術分野では公知の様々な推定技術を用いて推定器９１６はデータシンボル推定９１８を生成する。
【００７８】
【数１２】
2013509819.tif 000016
【００７９】
【数１３】
2013509819.tif 000017
【００８０】
【数１４】
2013509819.tif 000018
【００８１】
図１０は、典型的な実施態様にしたがってデータとリファレンスシンボルとが多重化されている受信した代案２のシーケンスからデータシンボル推定を生成するように構成されている一群の構成要素を示している。図１０には、乗算器１０１０の入力である受信したスロット１のシーケンス１００４が示されている。乗算器１０１０の他の二つの入力は、（リファレンスシグナルシーケンス発生器１００６により生成された）スロット０に対応しているリファレンスシーケンスと（複素共役発生器１００８により生成された）スロット１のリファレンスシーケンスの複素共役である。スロット１の乗算器１０１０の出力は反転されて（すなわち、極性を逆にして）受信したスロット０のシーケンスに加算器１０１２により加算される。図９に示されている構成と同じように加算器１０１２の出力は（「２の除算器」１０１４を用いて）２で除算され、その結果が推定器１０１６で処理されてデータシンボル推定１０１８が生成される。
【００８２】
図６、図７、図９、図１０を参照して、（図６の電力調整器６１６、図７の電力調整器７１６、図９の乗算器９０８、図１０の乗算器１０１０のような）ある構成要素の出力の極性を逆にすること（すなわち、反転させること）は叙述した加算器を用いて「減算」の操作を容易に行えるようにするために過ぎないことを断っておく。減算操作は別の同等な構成を用いて実行することができることを理解されたい。さらに、一枚以上の参照表（lookup table）を用いても図６、図７、図９、図１０に示した構成要素の機能を実現することができる。例えば、リファレンスシグナルシーケンスやその共役をメモリの記憶位置に格納している実施態様もある。そのようなメモリの記憶位置に適切な構成要素で後々にアクセスすれば所望のリファレンスシグナルシーケンスやその共役を引き出すことができる。したがって、リファレンスシーケンスやその共役は参照表の構成や生成式を用いた系統的な生成により容易に生成することができる。図６、図７、図９、図１０のいずれにも類似した機能を果たす構成要素が幾つも示されている（例えば、乗算器６０４と６１４、電力調整器６０６と６１６、その他）。これらの構成要素は別個の構成要素として示されているが図６、図７、図９、図１０のそれぞれに示されている複数台の構成要素の代わりに単一の構成要素（すなわち、一台の乗算器）で構成することもできることに注意すること。
【００８３】
図１１は、事例的な実施態様にしたがって無線通信システムのデータシンボルの推定をする処理１１００を示している。１１０２で、多重化されたデータおよびリファレンスシンボルが受信される。例えば、多重化された情報がＰＵＳＣＨ通信の一部としてユーザ機器からｅＮｏｄｅＢで受信される。幾つかの実施態様では、受信した多重化されているデータとリファレンスシンボルとが正規のサイクリックプレフィクスを有している無線サブフレームに関連付けられているＯＦＤＭシンボルの一部である。１１０４で、リファレンスシンボルからデータシンボルが多重分離される。例えば、１１０４の操作には表１の代案１または代案２の多重化方式にしたがって生成されていて受信をしたシーケンスの多重分離が含まれている。１１０６では、多重分離したデータシンボルの推定が得られる。１１０６の操作には、例えば、チャネルの推定や等化の処理が含まれる。
【００８４】
詳細を開示した実施態様にしたがってデータとリファレンスシンボルとの多重化を生成するためにユーザ機器の識別や設定を開示した実施態様は可能にする。図１２は、典型的な実施態様にしたがって装置を設定する処理１２００を示すフローチャートである。１２０２で、ユーザ機器のような装置がデータとリファレンスシンボルとの多重化を実施可能であることが断定される。１２０４で、制御情報が生成される。生成された制御情報は、特定された装置が一度受信すると、データとリファレンスシンボルとの多重化を行うように装置を設定する。１２０６で、制御情報が装置に伝送される。例えば、制御情報は無線通信システムのダウンリンク伝送チャネルで伝達される。伝送された制御情報を受信すると装置は先に述べた多重化方法にしたがってデータとリファレンスシンボルとを多重化するように設定されて、伝達容量が増大しているアップリンクチャネルで伝達する。
【００８５】
図１２の流れ図に示した制御情報はｅＮｏｄｅＢやその他の適切なネットワークの実体により生成されてシグナリングされる。ある実施態様では、制御情報の伝達に上層レイヤ（例えば、レイヤ３）のシグナリングを使用している。レイヤ３は、無線ベアラの確立およびｅＮｏｄｅＢとユーザ機器との間で無線リソース制御（ＲＲＣ：radio resource control）シグナリングを使用するように下層の全レイヤを設定することを担当している。この実施態様では、データとリファレンスとの多重化を実行するようにユーザ機器は半静的に設定される。アップリンクチャネルの環境が緩やかに変化する場合に半静的な設定は特に適している。例えば、ユーザ機器がドップラー効果の影響を余り受けないか（low Doppler）集積度が高いか（high geometry）あるいはその両者であるかのいずれかである場合に半静的な設定が用いられる。別の実施態様では、下層のレイヤ（例えば、レイヤ２）のシグナリングを用いて制御情報を搬送している。この実施態様ではユーザ機器は、データとリファレンスとの多重化に関して動的にスケジューリングされる。この実施態様では、例えば、ＰＵＳＣＨスケジューリング用の対応するダウンリンク制御情報（ＤＣＩ）フォーマットにビットを追加することによってシグナリングが有効になる。
【００８６】
図１３は、開示した実施態様にしたがってリファレンスとデータとの多重化を実施するように構成されている典型的なシステム１３００を示している。システム１３００には、アップリンクチャネル１３１４およびダウンリンクチャネル１３１２の両方または一方で一台以上のｅＮＢｓ１３２０と通信をすることのできるＵＥｓ１３０２が一台以上含まれている。ＵＥ１３０２は、トランシーバ１３１０を介してデータ、リファレンス、制御情報（例えば、ＤＭ−ＲＳ情報、その他）の全てまたはいずれかをｅＮＢ１３２０に送信する。データおよび制御情報は、データソース１３０４および制御ソース１３０６によりそれぞれが生成されるなどしてＵＥ１３０２に供給される。ＵＥ１３０２により送信される情報はトランシーバ１３２２などの手段によりｅＮＢ１３２０で受信される。
【００８７】
図１３に示したＵＥ１３０２は、アップリンク１３１４でｅＮＢ１３２０に伝送されるデータとリファレンスシンボルとを多重化するように構成されているマルチプレクサ１３０８を使用することができる。ｅＮＢ１３２０の多重化制御モジュール１３２４およびシステム１３００に関連付けられているその他の適切な手段の両方または一方を用いてＵＥ１３０２を設定したりＵＥ１３０２の多重化操作を管理したりする制御情報を生成することができる。例えば多重化制御モジュール１３２４は、トランシーバ１３２２によりＵＥ１３０２に伝送されるスケジューリングおよび制御シグナリングの両方または一方を生成する。図１３のｅＮＢ１３２０は、アップリンク１３１４を介してＵＥ１３０２から受信したデータとリファレンスシンボルとを多重分離するように構成されているデマルチプレクサ１３２６をも有している。例えばデマルチプレクサ１３２６は、表１の代案１や代案２にしたがってリファレンスシンボルに多重化されているデータシンボルを分離するように構成されている。デマルチプレクサ１３２６は、多重化制御モジュール１３２４と通信をすることもできるので分離操作を部分的に促進させることができる。図１３には図示されていないが図１３のＵＥ１３０２およびｅＮＢ１３２０はどちらもプロセッサやメモリユニットをそれぞれ一台以上備えていても構わない。プロセッサやメモリユニットがあれば様々なコンポーネントによるデータや情報の処理が促進されるだけでなく様々なコンポーネント相互の通信も可能になる。
【００８８】
図１４は、ここに開示した様々な実施態様を実装することのできる装置１４００を示している。特に図１４に示した装置１４００は、（図１３に示したｅＮＢ１３２０やユーザ機器１３０２のような）ｅＮｏｄｅＢの少なくとも一部分またはユーザ機器の少なくとも一部分と、（図２に示した送信機システム２１０や受信機システム２５０のような）送信機システムまたは受信機システムの少なくとも一部分とを有しているか、ｅＮｏｄｅＢの少なくとも一部分またはユーザ機器の少なくとも一部分と、送信機システムまたは受信機システムの少なくとも一部分とのどちらかを有している。図１４の装置１４００は、無線ネットワークに在中していて、例えば、一台以上の受信機および適切な受信復号回路（例えば、アンテナ、トランシーバ、復調器、その他）の両方または一方を介して入ってくるデータを受信する。図１４の装置１４００は、例えば、一台以上の送信機および適切な符号化送信回路（例えば、アンテナ、トランシーバ、変調器、その他）を介して出て行くデータを送信する。図１４の装置１４００は、無線ネットワークに在中させる代わりに、または、無線ネットワークに在中させることに加えて、有線ネットワークに在中させても良い。
【００８９】
図１４は、信号の調節、解析、多重化、その他のような一種類以上の処理を実施するための命令を保持するメモリ１４０２を装置１４００が有していることをさらに示している。さらに、図１４の装置１４００は、メモリ１４０２に格納されている命令および別の装置から受信した命令の両方または一方を実行するプロセッサ１４０４を有している。命令は、例えば、装置１４００や関連通信装置の設定や操作に関連している。メモリ１４０２は、単一のブロックとして図１４に示されているが、物理的な個々別々のユニットおよび論理的な個々別々のユニットの両方あるいは一方から成る二個以上の独立したメモリで構成しても構わないことに注意すること。さらにメモリ１４０２は、プロセッサ１４０４に通信可能に接続されているが、図１４に示した装置１４００の外部に全体または一部分を設けても良い。図１３に示した多重化装置１３０８、多重化制御モジュール１３２４、デマルチプレクサ１３２６、その他のような一台以上の構成要素を図１４のメモリ１４０２のようなメモリの中に設けても構わないことは言うまでもない。
【００９０】
開示した実施態様との関連で説明したメモリは、揮発性記憶装置および不揮発性記憶装置のどちらでも構わないし、揮発性記憶装置および不揮発性記憶装置の両者で構成しても構わない。限定のためではなく例示のために不揮発性記憶装置には読取り専用記憶装置（ＲＯＭ）、プログラム可能読取り専用記憶装置（ＰＲＯＭ）、電気的プログラム可能読取り専用記憶装置（ＥＰＲＯＭ）、電気消去可能読取り専用記憶装置（ＥＥＰＲＯＭ）、フラッシュメモリが含まれる。揮発性記憶装置には、外部のキャッシュメモリとして機能するランダムアクセス記憶装置（ＲＡＭ）が含まれる。限定のためではなく例示のために利用可能なＲＡＭの種類を挙げれば、同期ラム（ＳＲＡＭ）、ダイナミックラム（ＤＲＡＭ）、同期ダイナミックラム（ＳＤＲＡＭ）、倍データレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、ダイレクトラムバスラム（ＤＲＲＡＭ（登録商標））がある。
【００９１】
図１４の装置１４００は、ユーザ機器または移動装置に使用することができ、例えば、ＳＤカード、ネットワークカード、無線ネットワークカード、コンピュータ（ラップトップ、デスクトップ、個人用携帯型情報端末（ＰＤＡｓ：personal digital assistants）を含む）、移動電話、スマートフォン、ネットワークへのアクセスに使用することのできるその他の適切な端末のようなモジュールで構わない。ユーザ機器は、（図示していない）アクセスコンポーネントによりネットワークにアクセスする。ある例では、ユーザ機器とアクセスコンポーネントとが本質的に無線で接続される。ここで、アクセスコンポーネントは基地局であり、ユーザ機器は無線端末である。例えば、端末と基地局は任意の適切な無線プロトコルにより通信をする。無線プロトコルには、時分割多元接続（ＴＤＭＡ：Time Division Multiple Access）、符号分割多元接続（ＣＤＭＡ：Code Division Multiple Access）、周波数分割多元接続（ＦＤＭＡ：Frequency Division Multiple Access）、直交周波数多重（ＯＦＤＭ：Orthogonal Frequency-Division Multiplexing）、ＦＬＡＳＨ  ＯＦＤＭ、直交周波数分割多元接続（ＯＦＤＭＡ：Orthogonal Frequency Division Multiple Access）、その他の適切なプロトコルが含まれるが、以上に限定される訳ではない。
【００９２】
アクセスコンポーネントは、有線ネットワークや無線ネットワークに関連付けられているアクセスノードで構わない。したがって、アクセスコンポーネントは、例えば、ルータ、開閉器、その他で構わない。アクセスコンポーネントは、別のネットワークノードと通信をするために一種類以上のインターフェース、例えば、通信モジュールを備えている。さらに、アクセスコンポーネントは小ゾーン方式（cellular type）のネットワーク内にある基地局（または無線アクセスポイント）で構わない。ここで、基地局（または無線アクセスポイント）は多くの加入者に無線サービスエリアを提供するのに使用される。基地局（または無線アクセスポイント）は、一台以上の小型携帯移動電話機およびその他の無線端末またはそのいずれかに連続した無線サービスエリアを提供するように配備される。
【００９３】
ここに記載した実施態様や特徴は、ハードウェア、ソフトウェア、ファームウェア、それらの任意の組み合わせのいずれかとして実現することができる。ここに記載した様々な実施態様は、いずれも方法や過程として一般的に説明されているが、ネットワーク環境でコンピュータが実行するプログラムコードのようなコンピュータによる実行の可能な命令を収録しているコンピュータ可読媒体に具現化されたコンピュータプログラム製品として一実施態様を実現することができる。上で指摘したように、メモリおよびコンピュータ可読媒体の両方または一方には、読取り専用記憶装置（ＲＯＭ）、ランダムアクセス記憶装置（ＲＡＭ）、コンパクトディスク（ＣＤ）、デジタル多用途ディスク（ＤＶＤ）、その他を含む取り外し可能な記憶装置や取り外し不能な記憶装置が含まれるが以上に限定される訳ではない。ここに開示したどの実施態様も種々様々な一時的でないコンピュータ可読媒体上のプログラムコードとして実現することができる。ソフトウェアとして実現した場合には諸々の機能は、コンピュータ可読媒体上の一種類以上の命令やコードとして格納されたり伝送されたりする。コンピュータ可読媒体には、一方の場所から他方の場所へのコンピュータプログラムの転送を容易に行う任意の媒体を含む通信媒体とコンピュータ記憶媒体の両者が含まれる。記憶媒体は、汎用コンピュータや専用コンピュータがアクセスすることのできる任意の利用可能な媒体である。限定ではなく例としてコンピュータ可読媒体には、ＲＡＭ、ＲＯＭ、ＥＥＰＲＯＭ、ＣＤ−ＲＯＭまたはその他の光学ディスク記憶装置、磁気ディスク記憶装置またはその他の磁気記憶装置が含まれる他に、所望のプログラムコード手段を命令やデータ構造の形式で保持したり格納したりするために使用することならびに汎用または専用のコンピュータや汎用または専用のプロセッサがアクセスすることのできる他の任意の媒体が含まれる。
【００９４】
また、どのような接続もコンピュータ可読媒体と呼ぶことができる。例えば、赤外線、無線、マイクロ波などを用いた無線技術、同軸ケーブル、光ファイバーケーブル、撚線対、デジタル加入者回線（ＤＳＬ：digital subscriber line）を利用してウェブサイト、サーバ、その他の遠隔地の発信源からソフトウェアが伝送される場合には、赤外線、無線、マイクロ波などを用いた無線技術、同軸ケーブル、光ファイバーケーブル、撚線対、デジタル加入者回線が定義により媒体に含まれる。
【００９５】
一般にプログラムモジュールには、特定のタスクを実行したり特定の抽象的なデータタイプを装備したりしているルーチン、プログラム、オブジェクト、コンポーネント、データ構造、その他が含まれる。コンピュータが実行することのできる命令、関連データ構造、プログラムモジュールは、ここに開示した方法の諸工程を実行するプログラムコードの例である。このような実行可能な命令や関連データ構造の特定のシーケンスは、諸工程や諸手順に関して記載した諸機能を実行するための対応する動作の例を表している。
【００９６】
ここに開示した諸態様との関連で例示した種々の論理回路、論理ブロック、モジュール、回路は、汎用プロセッサ、デジタル信号プロセッサ（ＤＳＰ）、特定用途向け集積回路（ＡＳＩＣ：application specific integrated circuit）、書替え可能ゲートアレイ（ＦＰＧＡ：field programmable gate array）またはその他のプログラム可能論理回路（programmable logic array）、離散的なゲートまたはトランジスタの論理回路（discrete gate or transistor logic）、離散的なハードウェアコンポーネント、ここに記載した諸機能を実行するように設計されているそれらの任意の組み合わせで実現したり実施したりすることができる。汎用プロセッサはマイクロプロセッサで構わないが、その代わりとして通常のプロセッサ、コントローラ、マイクロコントローラ、状態装置のいずれでも構わない。また、演算装置を組み合わせてプロセッサを実現しても構わない。例えば、マイクロプロセッサとＤＳＰとの組み合わせ、複数台のマイクロプロセッサ、一台のＤＳＰをコアとして連携する一台以上のマイクロプロセッサ、その他の類似した任意の構成でプロセッサを実現することができる。あるいは、上に述べた諸工程や諸動作を一種類以上実行するように作動する一個以上のモジュールで少なくとも一台のプロセッサを構成することもできる。
【００９７】
ソフトウェアの実現に関しては、ここに述べた諸機能を実行するモジュール（例えば、手順、機能、その他）でここに述べた技術を実現することができる。ソフトウェアコードは、メモリユニットにこれを格納してプロセッサでこれを実行することができる。メモリユニットは、プロセッサの内部と外部の両方または一方に実装することができる。メモリユニットをプロセッサの外部に接続した場合にはこの技術分野では公知の種々様々な手段でプロセッサと交信可能に連結することができる。さらに、ここに記載した機能を実行するように作動する一個以上のモジュールを少なくとも一台のプロセッサが備えていても構わない。
【００９８】
ここに記載した技術は、ＣＤＭＡ、ＴＤＭＡ、ＦＤＭＡ、ＯＦＤＭＡ、ＳＣ−ＦＤＭＡ、その他のシステムのような様々な無線通信システムに使用することができる。用語「システム」と「ネットワーク」はしばしば交換可能に用いられている。ＣＤＭＡシステムは、ユニバーサル地上無線アクセス（ＵＴＲＡ：Universal Terrestrial Radio Access）、ｃｄｍａ２０００、その他のような無線技術を実行することができる。ＵＴＲＡには、広帯域符号分割多元接続（Ｗ−ＣＤＭＡ：Wideband Code Division Multiple Access）やＣＤＭＡの他の種々様々な変種が含まれる。さらに、ｃｄｍａ２０００はＩＳ−２０００、ＩＳ−９５、ＩＳ−８５６の各規格を包含している。ＴＤＭＡシステムは、移動体通信のためのグローバルシステム（ＧＳＭ：Global System for Mobile Communications）のような無線技術を実行することができる。ＯＦＤＭＡシステムは、進化したＵＴＲＡ（Ｅ−ＵＴＲＡ）、超広帯域モバイル（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、その他のような無線技術を実行することができる。ＵＴＲＡおよびＥ−ＵＴＲＡは、ユニバーサルモバイル通信システム（ＵＭＴＳ：Universal Mobile Telecommunications System）の一部である。３ＧＰＰ長期的高度化（ＬＴＥ：Long Term Evolution）の発表によりＯＦＤＭＡをダウンリンクにＳＣ−ＦＤＭＡをアップリンクにそれぞれ採用しているＥ−ＵＴＲＡを用いたＵＭＴＳが公開された。ＵＴＲＡ、Ｅ−ＵＴＲＡ、ＵＭＴＳ、ＬＴＥ、ＧＳＭは、「第３世代パートナーシッププロジェクト（3rd Generation Partnership Project）」（３ＧＰＰ）と言う名称の組織が公開している文書に記載されている。また、ｃｄｍａ２０００およびＵＭＢは、「第３世代パートナーシッププロジェクト２（3rd Generation Partnership Project 2）」（３ＧＰＰ２）と言う名称の組織が公開している文書に記載されている。さらに
、これらの無線通信システムには、対になってもいなければ認可されてもいない周波数範囲（unpaired unlicensed spectums）をしばしば使用するピアツーピア（peer-to-peer）（例えば、ユーザ機器とユーザ危機と）の臨時ネットワークシステム、８０２．ｘｘ無線ラン、ブルートゥース（ＢＬＵＥＴＯＯＴＨ（登録商標））、その他の短距離または長距離の無線通信技術も付加的に含まれている。
【００９９】
単一搬送波変調および周波数領域等化を使用する単一搬送波周波数分割多元接続（ＳＣ−ＦＤＭＡ）は開示した実施態様と一緒に使用するこのできる技術である。ＳＣ−ＦＤＭＡは、性能や全体的な複雑さはＤＦＤＭＡシステムと本質的に余り変わらない。ＳＣ−ＦＤＭＡシグナルは、本来的に単一搬送波構造なのでピーク対平均電力比（ＰＡＰＲ：peak-to-average power ratio）が低い。ＳＣ−ＦＤＭＡは、アップリンクの通信に使用することができる。低いＰＡＰＲは送信電力効率の点でユーザ機器の利益になる。
【０１００】
さらに、ここに述べた様々な態様や特徴は普通のプログラミングや工学の技術を用いて方法、装置、製造品として実現することができる。ここに用いた表現「製造品」には、コンピュータが読み取ることのできる装置、キャリア、媒体のいずれからでもアクセスすることのできるコンピュータプログラムが含まれる。例えばコンピュータ可読媒体には、磁気記憶装置（例えば、ハードディスク、フロッピー（登録商標）ディスク、磁気ストリップ、その他）、光ディスク（例えば、コンパクトディスク（ＣＤ）、デジタル多用途ディスク（ＤＶＤ）、その他）、スマートカード、フラッシュメモリ装置（例えば、ＥＰＰＲＯＭ、カード、スティック、キー駆動機構、その他）が含まれるが、これらに限定される訳ではない。さらに、ここに記載した様々な記憶媒体は、情報を記憶するためのものであって一台以上の装置やその他の機械で読み取ることのできる媒体を表すこともある。表現「機械で読み取ることのできる媒体」には無線チャネルが含まれるだけでなく、命令やデータを格納したり収録したり搬送したりすることのできるその他の媒体も含まれるが、これらに限定される訳ではない。さらに、コンピュータプログラム製品には、ここに記載した諸機能をコンピュータに実行させる命令やコードを一種類以上有しているコンピュータ可読媒体が含まれる。
【０１０１】
さらに、ここに記載した態様に関連して述べた方法やアルゴリズムの工程や動作はプロセッサが実行するソフトウェアモジュールまたはハードウェアあるいは両者の組み合わせに直接に取り入れることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、この技術分野では公知のその他の形式の記憶媒体に常駐させることができる。典型的な記憶媒体はプロセッサに連結されているので、プロセッサは記憶媒体から情報を読み取ったり記憶媒体に情報を書き込んだりすることができる。あるいは、記憶媒体はプロセッサと一体であっても構わない。さらに、幾つかの実施態様では、プロセッサと記憶媒体はＡＳＩＣに組み込まれている。また、ＡＳＩＣはユーザ機器（例えば、図１３の１３０２）に組み込まれている。あるいは、プロセッサ記憶媒体が個別部品としてユーザ機器（例えば、図１３の１３０２４）に内蔵されていても構わない。また、幾つかの実施態様では、方法やアルゴリズムの工程や動作がコードおよび命令の両方または一方としてあるいはコードおよび命令の両方または一方の組み合わせや一式としてコンピュータプログラム製品に組み込まれる機械可読媒体やコンピュータ可読媒体に収録されていても構わない。
【０１０２】
様々な実施態様を例示して以上に開示をしたが、添付した特許請求の範囲に定義されているここに説明した各種実施態様の範囲から逸れることなく様々な修正や変更をそれぞれの実施態様に施すことができる。したがって、添付した特許請求の範囲の範囲に含まれる変更、修正、変種はその全てがここに記載したどの実施態様にも含まれることが意図されている。さらに、ここに記載したどの実施態様についても要素は単数形で表現されているかも知れないが、単数に限定する旨が明記されていない限り複数が含まれることが意図されている。また、どの実施態様についてもその全体または一部分を別の実施態様の全体または一部分と一緒に用いることができる。
【０１０３】
発明の詳細な説明や特許請求の範囲に用語「含む（includes）」が用いられている限り、用語「から成る（comprising）」が請求項の移行句に用いられている場合の解釈と同じように包括性が意図されている。さらに、発明の詳細な説明や特許請求の範囲に用いられている用語「または(or)」は「排他的論理和」ではなくて「包含的論理和」を意味することが意図されている。すなわち、特段の記載がある場合や文脈から明らかな場合を除いて表現「ＸがＡまたはＢを用いる」は普通に列挙されているものの全てを含むどれでも（any of the natural inclusive permutations）を意味することが意図されている。すなわち、表現「ＸがＡを用いる」、「ＸがＢを用いる」、「ＸがＡとＢの両者を用いる」はいずれも表現「ＸがＡまたはＢを用いる」を満たしている。さらに、本願や添付の特許請求の範囲に用いられている不定冠詞の「ａ」や「ａｎ」は特段の記載のある場合や文脈から単数形であることが明らかである場合を除いて「一つ以上」を意味するものと一般に解釈されなければならないことを断っておく。
【図１】
2013509819.tif 000019
【図２】
2013509819.tif 000020
【図３】
2013509819.tif 000021
【図４】
2013509819.tif 000022
【図５】
2013509819.tif 000023
【図６】
2013509819.tif 000024
【図７】
2013509819.tif 000025
【図８】
2013509819.tif 000026
【図９】
2013509819.tif 000027
【図１０】
2013509819.tif 000028
【図１１】
2013509819.tif 000029
【図１２】
2013509819.tif 000030
【図１３】
2013509819.tif 000031
【図１４】
2013509819.tif 000032
【国際調査報告】
2013509819.tif 000033
2013509819.tif 000034
2013509819.tif 000035